(57)【要約】  本出願は無線通信システムにおいてリソースバインディングを制御するための方法及び装置を提供する。該方法は、バンドルのサイズを選択することと、バンドルのサイズに基づき、第一の制御チャネルエレメント（ＣＣＥ）のリソースエレメントグループ（ＲＥＧ）を一つ又は複数のＲＥＧバンドルにバインディングすることと、チャネル伝送を制御するために、一つ又は複数の第一のＲＥＧバンドルを物理リソースエレメントにマッピングすることとを含む。
2020519109.tif 000002
【特許請求の範囲】
【請求項１】
無線通信システムにおいてリソースバインディングを制御するための方法であって、
バンドルのサイズを選択することと、
前記バンドルのサイズに基づき、第一の制御チャネルエレメント（ＣＣＥ）のリソースエレメントグループ（ＲＥＧ）を一つ又は複数の第一のＲＥＧバンドルにバインディングすることと、
チャネル伝送を制御するために、前記一つ又は複数の第一のＲＥＧバンドルを物理リソースエレメントにマッピングすることとを含む、前記方法。
【請求項２】
前記第一のＣＣＥのＲＥＧを前記一つ又は複数の第一のＲＥＧバンドルにバインディングすることは、
周波数優先方式、時間優先方式、又は両者の組み合わせによって、前記第一のＣＣＥに一つ又は複数のＲＥＧを構成することで、各第一のＲＥＧバンドルを形成することを含むことを特徴とする
請求項１に記載の方法。
【請求項３】
前記一つ又は複数の第一のＲＥＧバンドルを物理リソースエレメントにマッピングすることは、
連続方式、分散方式又は両者の組み合わせによって、前記第一のＲＥＧバンドルを前記物理リソースエレメントにマッピングすることを含むことを特徴とする
請求項１に記載の方法。
【請求項４】
前記バンドルのサイズに基づき、第二のＣＣＥのＲＥＧを一つ又は複数の第二のＲＥＧバンドルにバインディングすることと、
前記第一のＲＥＧバンドルと前記第二のＲＥＧバンドルをインターリーブすることとをさらに含み、
ここで、前記一つ又は複数の第一のＲＥＧバンドルを前記物理リソースエレメントにマッピングすることは、前記インターリーブした後、前記第一のＲＥＧバンドルと前記第二のＲＥＧバンドルを前記物理リソースエレメントにマッピングすることを含むことを特徴とする
請求項１に記載の方法。
【請求項５】
前記バンドルのサイズに基づき、第二のＣＣＥのＲＥＧを一つ又は複数の第二のＲＥＧバンドルにバインディングすることと、
前記第一のＲＥＧバンドル、前記第二のＲＥＧバンドル、及び一つ又は複数の使用されていないＲＥＧをインターリーブすることとをさらに含み、
ここで、前記一つ又は複数の第一のＲＥＧバンドルを物理リソースエレメントにマッピングすることは、前記インターリーブした後、前記第一のＲＥＧバンドル、前記第二のＲＥＧバンドル、及び前記一つ又は複数の使用されていないＲＥＧを前記物理リソースエレメントにマッピングすることを含むことを特徴とする
請求項１に記載の方法。
【請求項６】
前記第一のＣＣＥと前記第二のＣＣＥは、一つの制御チャネル又は２つの異なる制御チャネルに用いられることを特徴とする
請求項５に記載の方法。
【請求項７】
前記使用されていないＲＥＧのうちの少なくとも一つのＲＥＧは、ユーザデータ伝送に用いられることを特徴とする
請求項５に記載の方法。
【請求項８】
バンドルのサイズを選択することは、
チャネル状況、基準信号の数、制御チャネルのペイロードのサイズ、それらの組み合わせに基づいて、前記バンドルのサイズを選択することを含むことを特徴とする
請求項１に記載の方法。
【請求項９】
無線通信システムにおいてリソースバインディングを制御するための方法であって、
制御リソースセットの構成を伝送することであって、ここで、前記制御リソースセットの構成に複数のパラメータが定義され、前記パラメータが
ビーム数、
前記制御リソースセットの開始シンボル番号、
前記制御リソースセットのシンボルの数、
制御チャネルエレメント（ＣＣＥ）のサイズ、
ＣＣＥの数、
リソースエレメントグループ（ＲＥＧ）バンドルのサイズ、又は、
ＲＥＧバンドルのためのシンボル数とＰＲＢ数の組み合わせのうちの一つ又は複数を含む、ことと、
前記制御リソースセットの構成に基づいて制御領域で制御チャネルを伝送することと、を含む、前記方法。
【請求項１０】
別の制御リソースセットの別の構成を伝送することをさらに含み、
ここで、前記制御領域で前記制御チャネルを伝送することは、前記構成、前記別の構成、又は前記構成と前記別の構成の両者に基づいて前記制御チャネルを伝送することを含むことを特徴とする
請求項９に記載の方法。
【請求項１１】
無線通信装置のための方法であって、
バンドルのサイズを取得することと、
制御リソースセットにおける制御チャネルを検出することであって、ここで、
前記制御リソースセットが第一の制御チャネルエレメント（ＣＣＥ）を含み、
前記バンドルのサイズに基づき、前記第一のＣＣＥのリソースエレメントグループ（ＲＥＧ）が一つ又は複数の第一のＲＥＧバンドルにバインディングされ、
前記一つ又は複数の第一のＲＥＧバンドルがチャネル伝送を制御するために、物理リソースエレメントにマッピングされる、ことと、
検出された第一のＣＣＥにおいて前記制御チャネルを復号することと、を含む、前記方法。
【請求項１２】
前記第一のＣＣＥのＲＥＧが一つ又は複数の第一のＲＥＧバンドルにバインディングされ、
各第一のＲＥＧバンドルが周波数優先方式、時間優先方式、又は両者の組み合わせによって、前記第一のＣＣＥに一つ又は複数のＲＥＧを構成することで形成されることを特徴とする
請求項１１に記載の方法。
【請求項１３】
前記一つ又は複数の第一のＲＥＧバンドルは連続方式、分散方式又は両者の組み合わせによって、前記物理リソースエレメントにマッピングされることを特徴とする
請求項１１に記載の方法。
【請求項１４】
前記制御リソースセットが第二のＣＣＥを含み、
前記バンドルのサイズに基づき、前記第二のＣＣＥのＲＥＧが一つ又は複数の第二のＲＥＧバンドルにバインディングされ、
前記第一のＲＥＧバンドルと前記第二のＲＥＧバンドルがインターリーブされ、
前記インターリーブされた後、前記第一のＲＥＧバンドルと前記第二のＲＥＧバンドルが前記物理リソースエレメントにマッピングされることを特徴とする
請求項１１に記載の方法。
【請求項１５】
前記制御リソースセットが第二のＣＣＥを含み、
前記バンドルのサイズに基づき、前記第二のＣＣＥのＲＥＧが一つ又は複数の第二のＲＥＧバンドルにバインディングされ、
前記第一のＲＥＧバンドル、前記第二のＲＥＧバンドル、及び一つ又は複数の使用されていないＲＥＧがインターリーブされ、
前記インターリーブされた後、前記第一のＲＥＧバンドル、前記第二のＲＥＧバンドル、及び前記一つ又は複数の使用されていないＲＥＧが前記物理リソースエレメントにマッピングされることを特徴とする
請求項１１に記載の方法。
【請求項１６】
前記第一のＣＣＥと前記第二のＣＣＥは、一つの制御チャネル又は２つの異なる制御チャネルに用いられることを特徴とする
請求項１５に記載の方法。
【請求項１７】
前記使用されていないＲＥＧのうちの少なくとも一つのＲＥＧは、ユーザデータ伝送に用いられることを特徴とする
請求項１５に記載の方法。
【請求項１８】
前記バンドルのサイズは、チャネル状況、基準信号の数、制御チャネルのペイロードのサイズ、それらの組み合わせに基づいて、選択されることを特徴とする
請求項１１に記載の方法。
【請求項１９】
無線通信システムにおいて制御チャネルを検出するための方法であって、
制御リソースセットの構成を受信することであって、ここで、前記制御リソースセットの構成に複数のパラメータが定義され、前記パラメータが
ビーム数、
前記制御リソースセットの開始シンボル番号、
前記制御リソースセットのシンボルの数、
制御チャネルエレメント（ＣＣＥ）のサイズ、
ＣＣＥの数、
リソースエレメントグループ（ＲＥＧ）バンドルのサイズ、又は、
ＲＥＧバンドルのためのシンボル数とＰＲＢ数の組み合わせのうちの一つ又は複数を含む、ことと、
前記制御リソースセットの構成に基づいて制御領域において制御チャネルを検出することと、を含む、前記方法。
【請求項２０】
別の制御リソースセットの別の構成を受信することをさらに含み、
ここで、前記制御領域において前記制御チャネルを検出することは、前記構成、前記別の構成、又は前記構成と前記別の構成の両者に基づいて前記制御チャネルを検出することを含むことを特徴とする
請求項１９に記載の方法。
【請求項２１】
無線通信システムにおいてリソースバインディングを制御するためのネットワーク装置であって、
命令を記憶するように構成されるメモリと、
前記メモリに通信で結合されるプロセッサとを備え、
ここで、前記命令が前記プロセッサによって実行される場合、前記プロセッサが、
バンドルのサイズを選択すること、
前記バンドルのサイズに基づき、第一の制御チャネルエレメント（ＣＣＥ）のリソースエレメントグループ（ＲＥＧ）を一つ又は複数の第一のＲＥＧバンドルにバインディングすること、
チャネル伝送を制御するために、前記一つ又は複数の第一のＲＥＧバンドルを物理リソースエレメントにマッピングすること、を実行する、前記ネットワーク装置。
【請求項２２】
前記第一のＣＣＥのＲＥＧを前記一つ又は複数の第一のＲＥＧバンドルにバインディングすることは、
周波数優先方式、時間優先方式、又は両者の組み合わせによって、前記第一のＣＣＥに一つ又は複数のＲＥＧを構成することで、各第一のＲＥＧバンドルを形成することを含むことを特徴とする
請求項２１に記載のネットワーク装置。
【請求項２３】
前記一つ又は複数の第一のＲＥＧバンドルを物理リソースエレメントにマッピングすることは、
連続方式、分散方式又は両者の組み合わせによって、前記第一のＲＥＧバンドルを前記物理リソースエレメントにマッピングすることを含むことを特徴とする
請求項２１に記載のネットワーク装置。
【請求項２４】
前記プロセッサで実行される操作はさらに、
前記バンドルのサイズに基づき、第二のＣＣＥのＲＥＧを一つ又は複数の第二のＲＥＧバンドルにバインディングすることと、
前記第一のＲＥＧバンドルと前記第二のＲＥＧバンドルをインターリーブすることとを含み、
ここで、前記一つ又は複数の第一のＲＥＧバンドルを前記物理リソースエレメントにマッピングすることは、前記インターリーブした後、前記第一のＲＥＧバンドルと前記第二のＲＥＧバンドルを前記物理リソースエレメントにマッピングすることを含むことを特徴とする
請求項２１に記載のネットワーク装置。
【請求項２５】
前記プロセッサで実行される操作はさらに、
前記バンドルのサイズに基づき、第二のＣＣＥのＲＥＧを一つ又は複数の第二のＲＥＧバンドルにバインディングすることと、
前記第一のＲＥＧバンドル、前記第二のＲＥＧバンドル、及び一つ又は複数の使用されていないＲＥＧをインターリーブすることとをさらに含み、
ここで、前記一つ又は複数の第一のＲＥＧバンドルを前記物理リソースエレメントにマッピングすることは、前記インターリーブした後、前記第一のＲＥＧバンドル、前記第二のＲＥＧバンドル、及び前記一つ又は複数の使用されていないＲＥＧを前記物理リソースエレメントにマッピングすることを含むことを特徴とする
請求項２１に記載のネットワーク装置。
【請求項２６】
前記第一のＣＣＥと前記第二のＣＣＥは、一つの制御チャネル又は２つの異なる制御チャネルに用いられることを特徴とする請求項２５に記載のネットワーク装置。
【請求項２７】
前記使用されていないＲＥＧのうちの少なくとも一つのＲＥＧは、ユーザデータ伝送に用いられることを特徴とする
請求項２５に記載のネットワーク装置。
【請求項２８】
バンドルのサイズを選択することは、
チャネル状況、基準信号の数、制御チャネルのペイロードのサイズ、それらの組み合わせに基づいて、前記バンドルのサイズを選択することを含むことを特徴とする
請求項２１に記載のネットワーク装置。
【請求項２９】
無線通信システムにおいてリソースバインディングを制御するためのネットワーク装置であって、
命令を記憶するように構成されるメモリと、
前記メモリに通信で結合されるプロセッサとを備え、
ここで、前記命令が前記プロセッサによって実行される場合、前記プロセッサが、
制御リソースセットの構成を伝送することであって、ここで、前記制御リソースセットの構成に複数のパラメータが定義され、前記パラメータが
ビーム数、
前記制御リソースセットの開始シンボル番号、
前記制御リソースセットのシンボルの数、
制御チャネルエレメント（ＣＣＥ）のサイズ、
ＣＣＥの数、
リソースエレメントグループ（ＲＥＧ）バンドルのサイズ、又は、
ＲＥＧバンドルのためのシンボル数とＰＲＢ数の組み合わせのうちの一つ又は複数を含む、ことと、
前記制御リソースセットの構成に基づいて制御領域で制御チャネルを伝送することと、を実行する、前記ネットワーク装置。
【請求項３０】
前記プロセッサで実行される操作はさらに、
別の制御リソースセットの別の構成を伝送することを含み、
ここで、前記制御領域で前記制御チャネルを伝送することは、前記構成、前記別の構成、又は前記構成と前記別の構成の両者に基づいて前記制御チャネルを伝送することを含むことを特徴とする
請求項２９に記載のネットワーク装置。
【請求項３１】
ユーザ装置であって、
命令を記憶するように構成されるメモリと、
前記メモリに通信で結合されるプロセッサとを備え、
ここで、前記命令が前記プロセッサによって実行される場合、前記プロセッサが、
バンドルのサイズを取得することと、
制御リソースセットにおける制御チャネルを検出することであって、ここで、
前記制御リソースセットが第一の制御チャネルエレメント（ＣＣＥ）を含み、
前記バンドルのサイズに基づき、前記第一のＣＣＥのリソースエレメントグループ（ＲＥＧ）が一つ又は複数の第一のＲＥＧバンドルにバインディングされ、
前記一つ又は複数の第一のＲＥＧバンドルがチャネル伝送を制御するために、物理リソースエレメントにマッピングされる、ことと、
検出された第一のＣＣＥにおいて前記制御チャネルを復号することと、を実行する、前記ユーザ装置。
【請求項３２】
前記第一のＣＣＥのＲＥＧが一つ又は複数の第一のＲＥＧバンドルにバインディングされ、
各第一のＲＥＧバンドルが周波数優先方式、時間優先方式、又は両者の組み合わせによって、前記第一のＣＣＥに一つ又は複数のＲＥＧを構成することで形成されることを特徴とする
請求項３１に記載のユーザ装置。
【請求項３３】
前記一つ又は複数の第一のＲＥＧバンドルは連続方式、分散方式又は両者の組み合わせによって、前記物理リソースエレメントにマッピングされることを特徴とする
請求項３１に記載のユーザ装置。
【請求項３４】
前記制御リソースセットが第二のＣＣＥを含み、
前記バンドルのサイズに基づき、前記第二のＣＣＥのＲＥＧが一つ又は複数の第二のＲＥＧバンドルにバインディングされ、
前記第一のＲＥＧバンドルと前記第二のＲＥＧバンドルがインターリーブされ、
前記インターリーブされた後、前記第一のＲＥＧバンドルと前記第二のＲＥＧバンドルが前記物理リソースエレメントにマッピングされることを特徴とする
請求項３１に記載のユーザ装置。
【請求項３５】
前記制御リソースセットが第二のＣＣＥを含み、
前記バンドルのサイズに基づき、前記第二のＣＣＥのＲＥＧが一つ又は複数の第二のＲＥＧバンドルにバインディングされ、
前記第一のＲＥＧバンドル、前記第二のＲＥＧバンドル、及び一つ又は複数の使用されていないＲＥＧがインターリーブされ、
前記インターリーブされた後、前記第一のＲＥＧバンドル、前記第二のＲＥＧバンドル、及び前記一つ又は複数の使用されていないＲＥＧが前記物理リソースエレメントにマッピングされることを特徴とする
請求項３１に記載のユーザ装置。
【請求項３６】
前記第一のＣＣＥと前記第二のＣＣＥは、一つの制御チャネル又は２つの異なる制御チャネルに用いられることを特徴とする
請求項３５に記載のユーザ装置。
【請求項３７】
前記使用されていないＲＥＧのうちの少なくとも一つのＲＥＧは、ユーザデータ伝送に用いられることを特徴とする
請求項３５に記載のユーザ装置。
【請求項３８】
前記バンドルのサイズは、チャネル状況、基準信号の数、制御チャネルのペイロードのサイズ、それらの組み合わせに基づいて、選択されることを特徴とする
請求項３１に記載のユーザ装置。
【請求項３９】
ユーザ装置であって、
命令を記憶するように構成されるメモリと、
前記メモリに通信で結合されるプロセッサとを備え、
ここで、前記命令が前記プロセッサによって実行される場合、前記プロセッサが、
制御リソースセットの構成を受信することであって、ここで、前記制御リソースセットの構成に複数のパラメータが定義され、前記パラメータが
ビーム数、
前記制御リソースセットの開始シンボル番号、
前記制御リソースセットのシンボルの数、
制御チャネルエレメント（ＣＣＥ）のサイズ、
ＣＣＥの数、
リソースエレメントグループ（ＲＥＧ）バンドルのサイズ、又は、
ＲＥＧバンドルのためのシンボル数とＰＲＢ数の組み合わせのうちの一つ又は複数を含む、ことと、
前記制御リソースセットの構成に基づいて制御領域において制御チャネルを検出することと、を実行する、前記ユーザ装置。
【請求項４０】
前記プロセッサで実行される操作はさらに、
別の制御リソースセットの別の構成を受信することを含み、
ここで、前記制御領域において前記制御チャネルを検出することは、前記構成、前記別の構成、又は前記構成と前記別の構成の両者に基づいて前記制御チャネルを検出することを含むことを特徴とする
請求項３９に記載のユーザ装置。
【請求項４１】
命令を記憶する非一時的コンピュータ読み取り可能媒体であって、前記命令が、無線通信システムにおいてリソースバインディングを制御するための方法を実行するように装置の一つ又は複数のプロセッサによって実行され、前記方法が、
バンドルのサイズを選択することと、
前記バンドルのサイズに基づき、第一の制御チャネルエレメント（ＣＣＥ）のリソースエレメントグループ（ＲＥＧ）を一つ又は複数の第一のＲＥＧバンドルにバインディングすることと、
チャネル伝送を制御するために、前記一つ又は複数の第一のＲＥＧバンドルを物理リソースエレメントにマッピングすることと、含む、前記非一時的コンピュータ読み取り可能媒体。
【請求項４２】
命令を記憶する非一時的コンピュータ読み取り可能媒体であって、前記命令が、無線通信システムで制御チャネルを受信するための方法を実行するように装置の一つ又は複数のプロセッサによって実行され、前記方法が、
バンドルのサイズを取得することと、
制御リソースセットにおける制御チャネルを検出することであって、ここで、
前記制御リソースセットが第一の制御チャネルエレメント（ＣＣＥ）を含み、
前記バンドルのサイズに基づき、前記第一のＣＣＥのリソースエレメントグループ（ＲＥＧ）が一つ又は複数の第一のＲＥＧバンドルにバインディングされ、
前記一つ又は複数の第一のＲＥＧバンドルがチャネル伝送を制御するために、物理リソースエレメントにマッピングされることと、
検出された第一のＣＣＥにおいて前記制御チャネルを復号することと、含む、前記非一時的コンピュータ読み取り可能媒体。
【発明の詳細な説明】
【関連出願への相互参照】
【０００１】
本出願は２０１７年５月２日に提案された米国特許仮出願Ｎｏ．６２／５００，１５６の優先権を主張し、その全ての内容が参照により本出願に取り込まれる。
【技術分野】
【０００２】
本出願は通信システムに関し、そしてより具体的には、無線システムにおいてリソースのバインディング及びマッピングを制御するための方法及び装置に関する。
【背景技術】
【０００３】
長期進化（ＬＴＥ）システムでは、複数の直交周波数分割多重（ＯＦＤＭ）シンボルと複数の周波数サブ搬送波にわたる制御領域が、物理ダウンリンク制御チャネル（ＰＤＣＣＨ）の伝送のために割り当てられてもよい。リソースエレメントは、一つのＯＦＤＭシンボルにおける一つのサブ搬送波をカバーする最小のリソース構造として定義される。複数のリソースエレメントは一つのリソースエレメントグループ（ＲＥＧ）を構成する。ペイロードのサイズとチャネル品質に応じて、一つ又は複数の制御チャネルエレメント（ＣＣＥ）によってＰＤＣＣＨを搬送し、各ＣＣＥが複数のＲＥＧを含む。時間及び周波数ゲインを達成するために、異なるＰＤＣＣＨのＲＥＧはインターリーブされてもよく且つ制御領域全体に分散されてもよい。ユーザ装置（ＵＥ）が、自身に送信されるＰＤＣＣＨ情報がどのＲＥＧによって搬送されるかを知らない可能性があるため、同じサブフレームで該ＵＥのユーザデータを受信する前に、ＵＥは、ＲＥＧをブラインド復号して該ＵＥのＰＤＣＣＨを受信する必要がある。ブラインド復号が複雑であり且つ大量の計算を必要とする。
【０００４】
第５世代（５Ｇ）の新しい無線システムなどの新型無線システムでは、類似のチャネル構造がＰＤＣＣＨに用いられてもよい。新型無線システムは、より高い周波数（例えば、６ＧＨＺより高い）で構成されてもよく、該周波数で広い帯域幅を取得することができる。新型無線システムでは、ビームフォーミング（ＢＦ）などのいくつかの新しい技術が用いられてもよい。新型無線システムのＰＤＣＣＨは、同様に複数のＣＣＥを含むことができ、各ＣＣＥが一つのグループのＲＥＧを含む。しかし、ＣＣＥ又はＲＥＧをＰＤＣＣＨのための時間及び周波数の制御領域にマッピングすることは、挑戦的である可能性がある。例えば、復調基準信号（ＤＭＲＳ）はＰＤＣＣＨ復調に用いられる必要がある可能性がある。広い帯域幅において、ＤＭＲＳは、ＰＤＣＣＨと一緒に伝送される可能性があるが、制御領域全体に分散することができない。時間及び周波数ダイバーシティゲイン、集中周波数選択ゲインとＢＦゲインなどの様々なゲインを得るために、これらの新しい技術は、複数のＣＣＥ、複数のＲＥＧとＰＤＣＣＨの間に柔軟なＰＤＣＣＨリソースの割り当て及びマッピングを行う必要がある。
【発明の概要】
【課題を解決するための手段】
【０００５】
いくつかの態様では、本出願は無線通信システムにおいてリソースバインディングを制御するための方法に関する。前記方法はバンドルのサイズを選択することを含む。前記方法はさらにバンドルのサイズに基づき、第一の制御チャネルエレメント（ＣＣＥ）のリソースエレメントグループ（ＲＥＧ）を一つ又は複数の第一のリソースエレメントグループバンドルにバインディングすることを含む。前記方法はさらにチャネル伝送を制御するために、前記一つ又は複数の第一のリソースエレメントグループバンドルを物理リソースエレメントにマッピングすることを含む。
【０００６】
いくつかの態様では、本出願は無線通信システムにおいてリソースバインディングを制御するための方法に関する。前記方法は、制御リソースセットの構成を伝送することを含む。前記制御リソースセットの構成に複数のパラメータが定義され、前記パラメータがビーム数、前記制御リソースセットの開始シンボル番号、前記制御リソースセットのシンボルの数、制御チャネルエレメント（ＣＣＥ）のサイズ、ＣＣＥの数、リソースエレメントグループ（ＲＥＧ）バンドルのサイズ、又はＲＥＧバンドルのためのシンボル数とＰＲＢ数の組み合わせのうちの一つ又は複数を含む。前記方法はさらに前記制御リソースセットの構成に基づいて物理リソースエレメントの制御領域で制御チャネルを伝送することを含む。
【０００７】
いくつかの態様では、本出願はさらに無線通信装置のための方法に関する。前記方法はバンドルのサイズを取得することを含む。前記方法はさらに制御リソースセットにおける制御チャネルを検出することを含む。前記制御リソースセットは第一の制御チャネルエレメント（ＣＣＥ）を含む。前記バンドルのサイズに基づき、前記第一のＣＣＥのリソースエレメントグループ（ＲＥＧ）は一つ又は複数の第一のＲＥＧバンドルにバインディングされる。前記一つ又は複数の第一のＲＥＧバンドルはチャネル伝送を制御するために、物理リソースエレメントにマッピングされる。前記方法はさらに検出された第一のＣＣＥにおいて前記制御チャネルを復号することを含む。
【０００８】
いくつかの態様では、本出願はさらに無線通信装置で制御チャネルを検出するための方法に関する。前記方法は、制御リソースセットの構成を受信することを含む。前記制御リソースセットの構成に複数のパラメータが定義され、前記パラメータがビーム数、前記制御リソースセットの開始シンボル番号、前記制御リソースセットのシンボルの数、制御チャネルエレメント（ＣＣＥ）のサイズ、ＣＣＥの数、リソースエレメントグループ（ＲＥＧ）バンドルのサイズ、又はＲＥＧバンドルのためのシンボル数とＰＲＢ数の組み合わせのうちの一つ又は複数を含む。前記方法はさらに前記制御リソースセットの構成に基づいて物理リソースエレメントの制御領域において制御チャネルを検出することを含む。
【０００９】
いくつかの態様では、本出願はさらに無線通信システムにおいてリソースバインディングを制御するためのネットワーク装置に関する。前記ネットワーク装置はメモリを備え、前記メモリに命令が記憶される。前記ネットワーク装置はさらにプロセットを備え、前記プロセッサが前記メモリに通信可能に結合される。前記プロセッサによって実行される場合、前記命令により前記プロセッサは、バンドルのサイズを選択することを含む操作を実行する。前記プロセッサによって実行される場合、前記命令により前記プロセッサは、前記バンドルのサイズに基づき、第一の制御チャネルエレメント（ＣＣＥ）のリソースエレメントグループ（ＲＥＧ）を一つ又は複数の第一のリソースエレメントグループバンドルにバインディングすることを含む操作を実行する。前記プロセッサによって実行される場合、前記命令により前記プロセッサは制御チャネル伝送を制御するために、前記一つ又は複数の第一のリソースエレメントグループバンドルを物理リソースエレメントにマッピングすることを含む操作を実行する。
【００１０】
いくつかの態様では、本出願はさらに無線通信システムにおいてリソースバインディングを制御するためのネットワーク装置に関する。前記ネットワーク装置はメモリを備え、前記メモリに命令が記憶される。前記ネットワーク装置はさらにプロセットを備え、前記プロセッサが前記メモリに通信可能に結合される。前記プロセッサによって実行される場合、前記命令により前記プロセッサは、制御リソースセットの構成を伝送することを含む操作を実行する。前記制御リソースセットの構成に複数のパラメータが定義され、前記パラメータがビーム数、前記制御リソースセットの開始シンボル番号、前記制御リソースセットのシンボルの数、制御チャネルエレメント（ＣＣＥ）のサイズ、ＣＣＥの数、リソースエレメントグループ（ＲＥＧ）バンドルのサイズ、又はＲＥＧバンドルのためのシンボル数とＰＲＢ数の組み合わせのうちの一つ又は複数を含む。前記プロセッサによって実行される場合、前記命令により前記プロセッサは、前記制御リソースセットの構成に基づいて物理リソースエレメントの制御領域で制御チャネルを伝送することを含む操作を実行する。
【００１１】
いくつかの態様では、本出願はさらにユーザ装置に関する。前記ユーザ装置はメモリを備え、前記メモリに命令が記憶される。前記ユーザ装置はさらにプロセットを備え、前記プロセッサが前記メモリに通信可能に結合される。前記プロセッサによって実行される場合、前記命令により前記プロセッサは、バンドルのサイズを取得することを含む操作を実行する。前記プロセッサによって実行される場合、前記命令により前記プロセッサは、制御リソースセットにおいて制御チャネルを検出することを含む操作を実行する。前記制御リソースセットは、第一の制御チャネルエレメント（ＣＣＥ）を含む。前記バンドルのサイズに基づき、前記第一のＣＣＥのリソースエレメントグループ（ＲＥＧ）は一つ又は複数の第一のＲＥＧバンドルにバインディングされる。前記一つ又は複数の第一のＲＥＧバンドルは、チャネル伝送を制御するために、物理リソースエレメントにマッピングされる。前記プロセッサによって実行される場合、前記命令により前記プロセッサは、検出された第一のＣＣＥにおいて前記制御チャネルを復号することを含む操作を実行する。
【００１２】
いくつかの態様では、本出願はさらにユーザ装置に関する。前記ユーザ装置はメモリを備え、前記メモリに命令が記憶される。前記ユーザ装置はさらにプロセットを備え、前記プロセッサが前記メモリに通信可能に結合される。前記プロセッサによって実行される場合、前記命令により前記プロセッサは、制御リソースセットの構成を受信することを含む操作を実行する。前記制御リソースセットの構成に複数のパラメータが定義され、前記パラメータがビーム数、前記制御リソースセットの開始シンボル番号、前記制御リソースセットのシンボルの数、制御チャネルエレメント（ＣＣＥ）のサイズ、ＣＣＥの数、リソースエレメントグループ（ＲＥＧ）バンドルのサイズ、又はＲＥＧバンドルのためのシンボル数とＰＲＢ数の組み合わせのうちの一つ又は複数を含む。前記プロセッサによって実行される場合、前記命令により前記プロセッサは、前記制御リソースセットの構成に基づいて物理リソースエレメントの制御領域において制御チャネルを検出することを含む操作を実行する。
【００１３】
いくつかの態様では、本発明はさらに無線通信システムでリソースのバインディングを制御するための方法を実行するように装置の一つ又は複数のプロセッサによって実行される命令を記憶する非一時的コンピュータ読み取り可能媒体に関する。前記方法はバンドルのサイズを選択することを含む。前記方法はさらに前記バンドルのサイズに基づき、第一の制御チャネルエレメント（ＣＣＥ）のリソースエレメントグループ（ＲＥＧ）を一つ又は複数の第一のリソースエレメントグループバンドルにバインディングすることを含む。前記方法はさらにチャネル伝送を制御するために、前記一つ又は複数の第一のリソースエレメントグループバンドルを物理リソースエレメントにマッピングすることを含む。
【００１４】
いくつかの態様では、本発明はさらに無線通信システムで制御チャネルを受信するための方法を実行するように装置の一つ又は複数のプロセッサによって実行される命令を記憶する非一時的コンピュータ読み取り可能媒体に関する。前記方法は、バンドルのサイズを取得することを含む。前記方法はさらに制御リソースセットにおいて制御チャネルを検出することを含む。前記制御リソースセットは第一の制御チャネルエレメント（ＣＣＥ）を含む。前記バンドルのサイズに基づき、前記第一のＣＣＥのリソースエレメントグループ（ＲＥＧ）は一つ又は複数の第一のＲＥＧバンドルにバインディングされる。前記一つ又は複数の第一のＲＥＧバンドルは、チャネル伝送を制御するために、物理リソースエレメントにマッピングされる。前記方法はさらに検出された第一のＣＣＥにおいて前記制御チャネルを復号することを含む。
【００１５】
理解すべきものとして、以上の一般的な説明と以下の詳細な説明は例示的及び解釈的だけであり、保護を求める本発明を制限しない。
【図面の簡単な説明】
【００１６】
【図１】本出願のいくつかの実施例による無線通信システムの例示的なシーンを示す図である。
【図２】本出願のいくつかの実施例による無線通信システムにおけるリソースバインディングを制御するための例示的な方法を示す図である。
【図３】本出願のいくつかの実施例による無線通信システムにおけるリソースバインディングを制御するための例示的なマッピング方法を示す図である。
【図４】本出願のいくつかの実施例による無線通信システムにおけるリソースバインディングを制御するための例示的なマッピング方法を示す図である。
【図５】本出願のいくつかの実施例による無線通信システムにおけるリソースバインディングを制御するための例示的な、制御チャネルエレメントからリソースエレメントグループへ（ＣＣＥ−ｔｏ−ＲＥＧ）のマッピング方法を示す図である。
【図６】本出願のいくつかの実施例による無線通信システムにおけるリソースバインディングを制御するための例示的なＣＣＥからＲＥＧへのマッピング方法を示す図である。
【図７】本出願のいくつかの実施例による無線通信システムにおけるリソースバインディングを制御するための例示的なＣＣＥからＲＥＧへのマッピング方法のフローチャートである。
【図８】本出願のいくつかの実施例による無線通信システムで制御リソースを検出するための例示的な方法のフローチャートである。
【図９】本出願のいくつかの実施例による無線通信システムで制御チャネルを伝送するための例示的なネットワーク装置を示す図である。
【図１０】本出願のいくつかの実施例による無線通信システムにおいて制御チャネルを検出するための例示的なユーザ装置を示す図である。
【発明を実施するための形態】
【００１７】
ここで、例示的な実施例を詳細に参照し、例示的な実施例の各例が図面に示される。以下に関する図面を説明し、特に明記しない限り、ここで異なる図面における同じ数字が同じ又は類似の素子を表す。以下に例示的な実施例の説明に記載される実施形態は本発明に一致する全ての実施形態を表すものではない。逆に、それらは添付の特許請求の範囲に記載される、本発明に関する態様と一致する装置及び方法の例だけである。
【００１８】
図１は本出願の実施例と一致する無線通信システムの例示的なシーンを示す図である。該無線通信システムは基地局１２０、ユーザ装置１４０及び別のユーザ装置１６０を備える。基地局１２０は無線通信ネットワークのエンドノードである。例えば、基地局１２０はＬＴＥシステムにおける進化型ノードＢ（ｅＮＢ）又は５Ｇの新しい無線システムにおけるｇＮＢであってもよい。基地局１２０は無線通信システムのシステム情報を含む無線信号を伝送する。基地局１２０の周辺のカバレッジ範囲１８０内のユーザ装置１４０はシステム情報を受信することができる。例えば、カバレッジ範囲１８０内のユーザ装置１４０はシステム情報を受信して基地局１２０を介してネットワークサービスにアクセスすることができる。
【００１９】
ユーザ装置１４０とユーザ装置１６０は無線通信ネットワークにおける移動端末である。例えば、ユーザ装置１４０とユーザ装置１６０はスマートフォン、ネットワークインターフェイスカード又はマシンタイプの端末であってもよい。別の例として、ユーザ装置１４０はＬＴＥシステム又は５Ｇの新しい無線システムにおけるユーザ装置（ＵＥ）であってもよい。ユーザ装置１４０と基地局１２０は全て無線信号を送信及び受信することができる通信ユニットを備える。
【００２０】
ユーザ装置１４０が基地局１２０を介してネットワークサービスにアクセスすることを意図する場合、ユーザ装置１４０は、同期、無線リソース割り当て及びスケジューリングなどのカバレッジ範囲１８０内のシステム情報を収集するように基地局１２０から制御信号を受信する必要がある可能性がある。例えば、５Ｇの新しい無線システムにおけるユーザ装置１４０は、物理ダウンリンク共有チャネルにデータがユーザ装置１４０に伝送されるか否かを知るようにＰＤＣＣＨを受信する必要がある可能性がある。したがって、ユーザ装置１４０は基地局１２０によって伝送された信号においてＰＤＣＣＨを検出する必要がある。
【００２１】
図２は本出願のいくつかの実施例による無線通信システムにおけるリソースバインディングを制御するための例示的な方法を示す図である。例えば、５Ｇの新しい無線システムはＯＦＤＭ波形を用いて無線通信を行う。従来のＬＴＥセルラーネットワークのように、時間フレームにおいて通信を測定し、各フレームが複数のタイムスロットに分けられ、そして各タイムスロットが複数のＯＦＤＭシンボルを含むことができ、各ＯＦＤＭシンボルが複数の周波数サブ搬送波に跨る。リソースは時間（ＯＦＤＭシンボル）と周波数（サブ搬送波）に従って定義される。
【００２２】
ＰＤＣＣＨサーチスペースは一つのグループのリソースであり、例えばユーザ装置１４０は該リソースグループにＰＤＣＣＨ候補が含まれると仮定し、該リソースグループのサーチ及び復号を試みて制御情報を取得することができる。図２に示すように、基地局１２０は一つのグループのＣＣＥ２２１−２２８でユーザ装置１４０へＰＤＣＣＨを伝送する。ユーザ装置１４０は、そのＰＤＣＣＨ候補を含むＣＣＥ２２１−２２８がサーチスペース２１０であると仮定し、そしてＣＣＥ２２１−２２８のサーチ及び復号を試みて制御情報を取得することができる。
【００２３】
一般性を失うことなく、ユーザ装置１４０などのユーザ装置に対して、複数のＰＤＣＣＨはその上で伝送されるリソースインスタンス（又はユーザ装置がそのＰＤＣＣＨを監視するインスタンスとして構成される）を以下に呼ばれるスケジューリング（又はＰＤＣＣＨ）インスタンスとして構成するように構成される。ユーザ装置１４０は、該ユーザ装置がそのＰＤＣＣＨ候補を成功に復号するまで、そのサーチスペースにおける全てのＰＤＣＣＨインスタンスをブラインド復号することができる。そのＰＤＣＣＨの復号が成功した場合、ユーザ装置１４０は物理ダウンリンク共有チャネル（ＰＤＳＣＨ）などのデータチャネルで、基地局から伝送されたデータを受信及び復号し続ける。ユーザ装置１４０がそのサーチスペースにおいてＰＤＣＣＨを復号することができない場合、ユーザ装置１４０は該スケジューリングインスタンスにおいてＰＤＣＣＨが伝送されないと仮定でき、そしてそのＰＤＳＣＨを復号しない。
【００２４】
シンボルレベル、タイムスロットレベル又はマルチタイムスロットレベルにおいて構成された制御リソースセット（ＣＯＲＥＳＥＴ）を用いて各ＰＤＣＣＨを柔軟に伝送することができる。本開示の実施例と一致し、ＣＯＲＥＳＥＴはユーザ装置１４０のＰＤＣＣＨサーチスペースとして定義されてもよく、そしてユーザ装置に専用されてもよく、各ユーザ装置のＣＯＲＥＳＥＴがそれぞれ異なる。例えば、図２に示すように、基地局１２０はシンボル２３１を用いてユーザ装置１４０へＰＤＣＣＨを伝送することができ、ここで基地局１２０はユーザ装置１４０のためのシンボル２３１でＰＤＣＣＨ  ＣＯＲＥＳＥＴを構成する。
【００２５】
図２に示すように、サーチスペース２１０はＣＣＥ２２１−２２８を含み、そして各ＣＣＥが８つのＲＥＧを含む。言い換えれば、基地局１２０はＣＣＥ２２１−２２８のＲＥＧをシンボル２３１における物理ＲＥＧバンドル２４１−２４８にマッピングする必要がある。５Ｇの新しい無線システムでは、基地局１２０はＰＤＣＣＨでＤＭＲＳを伝送してチャネル推定を促進する必要がある可能性がある。時間及び周波数ダイバーシティを増加させ、及び／又はチャネル推定損失を緩和するために、基地局１２０は、一つのバンドルのＲＥＧを、ＣＣＥ２２１−２２８のＲＥＧをシンボル２３１におけるそれらの物理ＲＥＧにマッピングするためのユニットとして用いることができる。基地局１２０は一つのバンドルのＲＥＧでＤＭＲＳを伝送して潜在的なチャネル推定損失を緩和する。同時に、基地局１２０はＣＯＲＥＳＥＴの時間領域及び／又は周波数領域に分散するＣＣＥ２２１〜２２８のＲＥＧバンドルをマッピングして時間及び／又は周波数ダイバーシティを増加させる。
【００２６】
したがって、図２に示すように、基地局１２０は４つのＲＥＧを有するバンドルのサイズを選択する。選択された、４つのＲＥＧを有するバンドルのサイズに基づき、基地局１２０は、ＣＣＥ２２１の８つのＲＥＧを２つのＲＥＧバンドルにバインディングする。基地局１２０はＣＣＥ２２１のこの２つのＲＥＧバンドルをそれぞれシンボル２３１におけるＲＥＧ２４１とＲＥＧバンドル２４２にマッピングすることができる。また、基地局は、ＲＥＧバンドル２４１とＲＥＧバンドル２４２でユーザ装置１４０へＰＤＣＣＨを伝送することができる。
【００２７】
ユーザ装置１４０はユーザ装置１４０のためのシステム情報又は特定の構成情報から、基地局１２０によって用いられるバンドルのサイズを取得する。例えば、ユーザ装置１４０は、システムブロードキャスト（ＢＣＨ）から４つのＲＥＧを有するバンドルのサイズを取得することができる。別の例として、ユーザ装置１４０はＣＯＲＥＳＥＴの構成から４つのＲＥＧを有するバンドルのサイズを取得することができる。
【００２８】
上述したように、ユーザ装置１４０はサーチスペース２１０の構成を知ることができる。したがって、ユーザ装置１４０は４つのＲＥＧを有するバンドルのサイズに基づいてサーチスペース２１０においてそのＰＤＣＣＨを検出する。例えば、図２に示すように、ユーザ装置１４０はシンボル２３１におけるＲＥＧバンドル２４１とＲＥＧバンドル２４２でそのＰＤＣＣＨを検出する。ユーザ装置１４０がバンドル２４１とバンドル２４２でそのＰＤＣＣＨを検出した場合、ユーザ装置１４０は検出されたバンドル２４１とバンドル２４２でＰＤＣＣＨを復号して制御構成及び関連パラメータを取得することができる。
【００２９】
いくつかの実施例では、基地局１２０は各ＣＣＥの各ＲＥＧバンドルを分散の方式でＯＦＤＭシンボルにおける各ＲＥＧバンドルにマッピングする。例えば、図２に示すように、基地局１２０はＣＣＥ２２１の２つのＲＥＧバンドルをシンボル２３１における分散するＲＥＧバンドル２４１とＲＥＧバンドル２４２にマッピングする。これはＰＤＣＣＨ伝送のための周波数ダイバーシティを増加させることに役立つ。ユーザ装置１４０はそのＣＯＲＥＳＥＴ内のシンボル２３１における各ＲＥＧバンドルのマッピングを知り、そしてそれに対応してそのＰＤＣＣＨを検出及び復号することができる。
【００３０】
代替可能に、基地局１２０は各ＣＣＥの各ＲＥＧバンドルを連続の方式で各シンボルにおける各ＲＥＧバンドルにマッピングすることができる。例えば、基地局１２０はＣＣＥ２２１の２つのＲＥＧバンドルをシンボル２３１における２つの連続したＲＥＧバンドル（示せず）にマッピングすることができる。これは、この２つの連続したＲＥＧバンドルでＤＭＲＳと組み合わせてＰＤＣＣＨ検出のためのチャネル推定を改善することに役立つ。ユーザ装置１４０はそのＣＯＲＥＳＥＴ内のシンボル２３１における各ＲＥＧバンドルのマッピングを知り、そしてそれに対応してそのＰＤＣＣＨを検出及び復号することができる。
【００３１】
代替可能に、基地局１２０は、さらに各ＣＣＥの各ＲＥＧバンドルを分散方式と連続方式の組み合わせでシンボルにおける各ＲＥＧバンドルにマッピングすることができる。例えば、基地局１２０が２つのＲＥＧを有するバンドルのサイズを選択する場合、基地局１２０はＣＣＥ２２１の８つのＲＥＧを４つのＲＥＧバンドルにバインディングすることができる。この場合、基地局１２０はＣＣＥ２２１の先頭の２つのＲＥＧバンドルをシンボル２３１における２つの連続したＲＥＧバンドル（示せず）にマッピングし、そしてＣＣＥ２２１の最後の２つのＲＥＧバンドルを別の２つの連続したＲＥＧバンドル（示せず）にマッピングする。したがって、基地局１２０は先頭の２つの連続したＲＥＧバンドルと最後の２つの連続したＲＥＧバンドルをシンボル２３１に別々にマッピングする。ユーザ装置１４０はそのＣＯＲＥＳＥＴ内のシンボル２３１における各ＲＥＧバンドルのマッピングを知り、そしてそれに対応してそのＰＤＣＣＨを検出及び復号することができる。
【００３２】
図３は本出願のいくつかの実施例による無線通信システムにおけるリソースバインディングを制御するための例示的なマッピング方法を示す図である。基地局１２０は一つ又は複数のシンボルを含むＣＯＲＥＳＥＴを構成することができる。例えば、図３に示すように、ＣＯＲＥＳＥＴはシンボル３３１とシンボル３３２という２つのシンボルを含む。基地局１２０はそれに対応してシンボル及び／又は周波数で各ＲＥＧをバインディングすることができる。
【００３３】
基地局１２０は、ＲＥＧバンドル内にＲＥＧを時間優先方式で構成することでＣＣＥのＲＥＧバンドルを形成することができる。したがって、図３に示すように、基地局１２０は４つのＲＥＧを有するバンドルのサイズを選択する。基地局１２０はＣＣＥ３２１のＲＥＧバンドルを形成してシンボル３３１とシンボル３３２におけるＲＥＧバンドル３４１にマッピングする。図３に示すように、基地局１２０はＣＣＥ３２１のＲＥＧをＲＥＧバンドル３４１のＲＥＧ１、ＲＥＧ２、ＲＥＧ３、ＲＥＧ４に順次マッピングする。即ち、基地局１２０はまずＣＣＥのＲＥＧをシンボルに跨るシンボルにおける各物理ＲＥＧにマッピングし、即ち時間優先方式で各物理ＲＥＧにマッピングする。ユーザ装置１４０はそのＣＯＲＥＳＥＴ内のシンボル３３１とシンボル３３２における各ＲＥＧバンドルのマッピングを知り、そしてそれに対応してそのＰＤＣＣＨを検出及び復号することができる。
【００３４】
代替可能に、基地局１２０はＲＥＧバンドル内にＲＥＧを周波数優先方式で構成することでＣＣＥのＲＥＧバンドルを形成することができる。したがって、図３に示すように、基地局１２０は４つのＲＥＧを有するバンドルのサイズを選択する。基地局１２０はＣＣＥ３２１のＲＥＧバンドルを形成してシンボル３２１とシンボル３２２におけるＲＥＧバンドル３４２にマッピングする。図３に示すように、基地局１２０はＣＣＥ３２１の各ＲＥＧをＲＥＧバンドル３４２のＲＥＧ１、ＲＥＧ２、ＲＥＧ３、ＲＥＧ４に順次マッピングする。即ち、基地局１２０はまずＣＣＥの各ＲＥＧを周波数領域に跨るシンボルにおける各物理ＲＥＧにマッピングし、即ち周波数優先方式で各物理ＲＥＧにマッピングする。ユーザ装置１４０はそのＣＯＲＥＳＥＴ内のシンボル３３１とシンボル３３２におけるＲＥＧバンドルのマッピングを知り、そしてそれに対応してそのＰＤＣＣＨを検出及び復号することができる。
【００３５】
代替可能に、基地局１２０は時間優先方式と周波数優先方式の組み合わせでＲＥＧバンドル内にＲＥＧを構成することでＣＣＥのＲＥＧバンドルを形成することができる。したがって、図３に示すように、基地局１２０は４つのＲＥＧを有するバンドルのサイズを選択する。上述したように、基地局１２０はＣＣＥ３２１の１番目のＲＥＧバンドルを形成し、上述した時間優先方式でシンボル３３１とシンボル３３２におけるＲＥＧバンドル３４１にマッピングする。さらに、基地局１２０はＣＣＥ３２１の２番目のＲＥＧバンドルを形成し、上述した周波数優先方式でシンボル３３１とシンボル３３２のＲＥＧバンドル３４２にマッピングする。即ち、基地局１２０はＣＣＥの２つのＲＥＧバンドルを時間優先方式と周波数優先方式の組み合わせでシンボルにおけるＲＥＧバンドルにマッピングする。ユーザ装置１４０はそのＣＯＲＥＳＥＴ内のシンボル３３１とシンボル３３２における各ＲＥＧバンドルのマッピングを知り、そしてそれに対応してそのＰＤＣＣＨを検出及び復号することができる。
【００３６】
いくつかの実施例では、ＣＯＲＥＳＥＴはＣＣＥからＲＥＧへの一つのタイプのマッピング、例えば以上に示す時間優先のマッピング又は周波数優先のマッピングを含むことができる。いくつかの実施例では、ＣＯＲＥＳＥＴは時間優先マッピングと周波数優先マッピングの両者を含むことができる。いくつかの実施例では、時間優先マッピングと周波数優先マッピングは以上に示す組み合わせ方式で用いられてもよい。
【００３７】
表１には、サーチスペースが２つ又は４つのＯＦＤＭシンボルが含まれる場合のＲＥＧバンドルのサイズの例が示される。バインディングされたＲＥＧを従来方式でＯＦＤＭシンボルにおける物理リソースにマッピングするために、ＲＥＧに対して、ＣＣＥのサイズがＲＥＧバンドルのサイズと同じであってもよく、又はＲＥＧバンドルのサイズの倍数、例えば２倍又は３倍であってもよい。
【表１】
2020519109.tif 000003
【００３８】
基地局１２０は同じＲＥＧバンドルのＲＥＧに対して同じプリコーディングベクトルを用いることができ、そしてＣＣＥに跨るＲＥＧをバインディングしない。また、基地局１２０はバインディングされたＲＥＧを時間周波数ブロックの方形又は矩形形状などの従来モードでＯＦＤＭシンボルにおける物理リソースにマッピングすることができる。これは、ＲＥＧバインディングの実施を簡略化し、散在する物理リソースの浪費を回避することに役立つ。
【００３９】
上記設計上の考え及び基準を基にし、そして一つのＣＣＥが偶数のＲＥＧ（例えば４、６、８又は１６つのＲＥＧ）を含むと仮定する場合、基地局１２０は偶数のＯＦＤＭシンボルのみをサーチスペースとして構成することもできる。例えば、ＣＯＲＥＳＥＴに含まれるシンボルの総数に関わらず、基地局１２０はいずれも２つのシンボルをユーザ装置１６０のためのサーチスペースとして構成することができる。
【００４０】
図４は本出願のいくつかの実施例による無線通信システムにおけるリソースバインディングを制御するための例示的なマッピング方法を示す図である。基地局１２０は一つ以上のシンボルを含むＣＯＲＥＳＥＴを構成することができる。例えば、図４に示すように、ＣＯＲＥＳＥＴはシンボル４３１とシンボル４３２という２つのシンボルを含む。基地局１２０は３つのＣＣＥ、即ちＣＣＥ４２１、ＣＣＥ４２２とＣＣＥ４２３を含むサーチスペース４１０をユーザ装置（例えばユーザ装置１４０）に構成する。本例では、各ＣＣＥは８つのＲＥＧを含む。
【００４１】
基地局１２０はＣＯＲＥＳＥＴにおける各ＣＣＥのＲＥＧをそれぞれシンボル４３１とシンボル４３２における物理ＲＥＧバンドルにバインディングする。したがって、図４に示すように、基地局１２０は４つのＲＥＧを有するバンドルのサイズを選択する。より具体的には、基地局１２０は上述した時間優先方式でＣＣＥ４２１のための２つのＲＥＧバンドル、即ちＲＥＧバンドル４４１とＲＥＧバンドル４４２を形成する。基地局１２０は、さらに時間優先方式でＣＣＥ４２２のための２つのＲＥＧバンドル、即ちＲＥＧバンドル４４３とＲＥＧバンドル４４４を形成する。そして、基地局１２０はＣＣＥ４２３を用いてＰＤＣＣＨ伝送を行わない。それにもかかわらず、基地局１２０は、さらにＣＣＥ４２３のための２つのＲＥＧバンドル、即ちＲＥＧバンドル４４５とＲＥＧバンドル４４６を形成することができる。
【００４２】
基地局１２０はさらに形成された各ＣＣＥのＲＥＧバンドルをＣＯＲＥＳＥＴでインターリーブすることができる。例えば、図４に示すように、基地局１２０は順次分布するＲＥＧバンドル４４１、ＲＥＧバンドル４４２、ＲＥＧバンドル４４３、ＲＥＧバンドル４４４、ＲＥＧバンドル４４５とＲＥＧバンドル４４６を順次分布するＲＥＧバンドル４４５、ＲＥＧバンドル４４３、ＲＥＧバンドル４４１、ＲＥＧバンドル４４４、ＲＥＧバンドル４４２とＲＥＧバンドル４４６にインターリーブする。
【００４３】
インターリーブした後、基地局１２０はＲＥＧバンドルを物理リソースエレメントにマッピングすることができる。例えば、図４に示すように、基地局１２０はインターリーブされたＲＥＧバンドル４４５、４４３、４４１、４４４、４４２と４４６を連続の方式でシンボル４３１とシンボル４３２におけるそれらのＲＥＧバンドルにマッピングする。ユーザ装置１４０はそのＣＯＲＥＳＥＴ内のシンボル４３１とシンボル４３２におけるＲＥＧバンドルのマッピングを知り、そしてそれに対応してそのＰＤＣＣＨを検出及び復号することができる。
【００４４】
図５は本出願のいくつかの実施例による無線通信システムにおけるリソースバインディングを制御するための例示的な、制御チャネルエレメントからリソースエレメントグループへ（ＣＣＥ−ｔｏ−ＲＥＧ）のマッピング方法を示す図である。基地局１２０はシンボルを含むＣＯＲＥＳＥＴを構成することができる。例えば、図５に示すように、ＣＯＲＥＳＥＴはシンボル５３１を含む。基地局１２０は３つのＣＣＥ、即ちＣＣＥ５２１、ＣＣＥ５２２とＣＣＥ５２３を含むサーチスペース５１０をユーザ装置（例えばユーザ装置１４０）に構成する。本例では、各ＣＣＥは４つのＲＥＧを含む。
【００４５】
基地局１２０はＣＯＲＥＳＥＴにおけるＣＣＥのＲＥＧをそれぞれシンボル５３１における物理ＲＥＧバンドルにバインディングする。例えば、図５に示すように、基地局１２０は２つのＲＥＧを有するバンドルのサイズを選択する。より具体的には、上述したように、基地局１２０は上述した周波数優先方式でＣＣＥ５２１のための２つのＲＥＧバンドル、即ちＲＥＧバンドル５４１とＲＥＧバンドル５４２を形成する。基地局１２０は、さらに周波数優先方式でＣＣＥ５２２のための２つのＲＥＧバンドル、即ちＲＥＧバンドル５４３とＲＥＧバンドル５４４を形成する。また、基地局１２０はＣＣＥ５２３を用いてＰＤＣＣＨ伝送を行わない。それにもかかわらず、基地局１２０は、さらにＣＣＥ５２３のための２つのＲＥＧバンドル、即ちＲＥＧバンドル５４５とＲＥＧバンドル５４６を形成することができる。
【００４６】
基地局１２０はさらに形成されたＣＣＥのＲＥＧバンドルをＣＯＲＥＳＥＴでインターリーブすることができる。例えば、図５に示すように、基地局１２０は順次分布するＲＥＧバンドル５４１、ＲＥＧバンドル５４２、ＲＥＧバンドル５４３、ＲＥＧバンドル５４４、ＲＥＧバンドル５４５とＲＥＧバンドル５４６を順次分布するＲＥＧバンドル５４５、ＲＥＧバンドル５４３、ＲＥＧバンドル５４１、ＲＥＧバンドル５４４、ＲＥＧバンドル５４２とＲＥＧバンドル５４６にインターリーブする。
【００４７】
インターリーブした後、基地局１２０はＲＥＧバンドルを物理リソースエレメントにマッピングすることができる。例えば、図５に示すように、基地局１２０はインターリーブされたＲＥＧバンドル５４５、ＲＥＧバンドル５４３、ＲＥＧバンドル５４１、ＲＥＧバンドル５４４、ＲＥＧバンドル５４２とＲＥＧバンドル５４６を連続の方式でシンボル５３１におけるそれらのＲＥＧバンドルにマッピングする。ユーザ装置１４０はそのＣＯＲＥＳＥＴ内のシンボル５３１におけるＲＥＧバンドルのマッピングを知り、そしてそれに対応してそのＰＤＣＣＨを検出及び復号することができる。
【００４８】
上述したように、基地局１２０はさらにＣＣＥのＲＥＧバンドルをＣＯＲＥＳＥＴにおけるＰＤＣＣＨに使用されていないＲＥＧバンドルとインターリーブすることができる。例えば、図４に示すように、基地局１２０は順次分布するＲＥＧバンドル４４１、ＲＥＧバンドル４４２、ＲＥＧバンドル４４３とＲＥＧバンドル４４４及び使用されていないＲＥＧバンドル４４５とＲＥＧバンドル４４６を順次分布するＲＥＧバンドル４４５、ＲＥＧバンドル４４３、ＲＥＧバンドル４４１、ＲＥＧバンドル４４４、ＲＥＧバンドル４４２とＲＥＧバンドル４４６にインターリーブすることができる。本例では、ＣＯＲＥＳＥＴにおけるＲＥＧ４４５とＲＥＧバンドル４４６がＰＤＣＣＨ伝送に用いられない。
【００４９】
インターリーブした後、基地局１２０はＣＯＲＥＳＥＴにおけるインターリーブされたＲＥＧバンドルを物理リソースエレメントにマッピングすることができる。例えば、図４に示すように、基地局１２０はインターリーブされたＲＥＧバンドル４４５、ＲＥＧバンドル４４３、ＲＥＧバンドル４４１、ＲＥＧバンドル４４４、ＲＥＧバンドル４４２とＲＥＧバンドル４４６を連続の方式でシンボル４３１とシンボル４３２におけるそれらのＲＥＧバンドルにマッピングすることができる。ユーザ装置１４０はそのＣＯＲＥＳＥＴ内のシンボル４３１とシンボル４３２におけるＲＥＧバンドルのマッピングを知り、そしてそれに対応してそのＰＤＣＣＨを検出及び復号することができる。
【００５０】
ＰＤＣＣＨがＲＥＧバンドル４４５及びＲＥＧバンドル４４６に適していない場合、基地局１２０は、ＲＥＧバンドル４４５とＲＥＧバンドル４４６を用いてＰＤＣＣＨ伝送を行わない。代替可能に、基地局１２０はＰＤＳＣＨ伝送のためにこれらのＲＥＧを構成してスペクトル効率を改善及び／又は無線リソースの浪費を回避することができる。
【００５１】
図６は本出願のいくつかの実施例による無線通信システムにおけるリソースバインディングを制御するための例示的なＣＣＥからＲＥＧへのマッピング方法を示す図である。基地局１２０は一つ又は複数のシンボルを含むＣＯＲＥＳＥＴを構成することができる。例えば、図６に示すように、ＣＯＲＥＳＥＴは２つのシンボル、即ちシンボル６３１とシンボル６３２を含む。基地局１２０は３つのＣＣＥ、即ちＣＣＥ６２１、ＣＣＥ６２２とＣＣＥ６２３を含むサーチスペース６１０をユーザ装置（例えばユーザ装置１４０）に構成する。本例では、各ＣＣＥは８つのＲＥＧを含む。
【００５２】
基地局１２０はＣＯＲＥＳＥＴにおけるＣＣＥのＲＥＧをそれぞれシンボル６３１とシンボル６３２における物理ＲＥＧバンドルにバインディングする。したがって、図６に示すように、基地局１２０は４つのＲＥＧを有するバンドルのサイズを選択する。上述したように、基地局１２０は、時間優先方式でＣＣＥ６２１のための２つのＲＥＧバンドル、即ちＲＥＧバンドル６４１とＲＥＧバンドル６４２を形成する。基地局１２０は、さらに時間優先方式でＣＣＥ６２２のための２つのＲＥＧバンドル、即ちＲＥＧバンドル６４３とＲＥＧバンドル６４４を形成する。また、基地局１２０は、用いられないＣＣＥ６２３のための２つのＲＥＧバンドル、即ちＲＥＧバンドル６４５とＲＥＧバンドル６４６を形成する。
【００５３】
基地局１２０はさらに形成されたＣＣＥのＲＥＧバンドルをＣＯＲＥＳＥＴでインターリーブすることができる。例えば、図６に示すように、基地局１２０は順次分布するＲＥＧバンドル６４１、ＲＥＧバンドル６４２、ＲＥＧバンドル６４３とＲＥＧバンドル６４４及び使用されていないＲＥＧバンドル６４５とＲＥＧバンドル６４６を順次分布するＲＥＧバンドル６４５、ＲＥＧバンドル６４３、ＲＥＧバンドル６４１、ＲＥＧバンドル６４４、ＲＥＧバンドル６４２とＲＥＧバンドル６４６にインターリーブする。ＲＥＧバンドル６４５とＲＥＧ６４６はＣＯＲＥＳＥＴに含まれるが、ＰＤＣＣＨ伝送に用いられない。
【００５４】
インターリーブした後、基地局１２０はＣＯＲＥＳＥＴにおけるインターリーブされたＲＥＧバンドルを物理リソースエレメントにマッピングする。例えば、図６に示すように、基地局１２０はインターリーブされた、使用されていないＲＥＧバンドル６４５、ＲＥＧバンドル６４３、ＲＥＧバンドル６４１、ＲＥＧバンドル６４４と使用されていないＲＥＧバンドル６４６を連続の方式でシンボル６３１とシンボル６３２におけるＲＥＧバンドルにマッピングする。ユーザ装置１４０はそのＣＯＲＥＳＥＴ内のシンボル６３１とシンボル６３２におけるＲＥＧバンドルのマッピングを知り、そしてそれに対応してそのＰＤＣＣＨを検出及び復号することができる。
【００５５】
基地局１２０はさらに使用されていないＲＥＧバンドルによってマッピングされた物理ＲＥＧバンドルで伝送されるＰＤＳＣＨを構成することができる。使用されていないＲＥＧバンドルによってマッピングされたそれらの物理ＲＥＧバンドルはＰＤＣＣＨ伝送に用いられない。例えば、図６に示すように、基地局１２０はＰＤＳＣＨリソースブロック（ＲＢＧ）６６１とＰＤＳＣＨ  ＲＢＧ６６２で伝送されるＰＤＳＣＨを構成する。ＰＤＳＣＨ  ＲＢＧ６６１とＰＤＳＣＨ  ＲＢＧ６６２はシンボル６３１とシンボル６３２、ＰＤＳＣＨ伝送に利用可能なより多くのシンボルを含むことができる。
【００５６】
いくつかの実施例では、基地局１２０は２つのＣＣＥによってＰＤＣＣＨを伝送することができる。例えば、ＰＤＣＣＨが１６つのＲＥＧで伝送する必要があるペイロードを含む場合、基地局１２０は図４のＣＣＥ４２１とＣＣＥ４２２の両者によってＰＤＣＣＨを伝送することができる。
【００５７】
代替可能に、基地局１２０は、それぞれ２つのＣＣＥで２つのＰＤＣＣＨを伝送する。例えば、２つのＰＤＣＣＨがいずれも８つのＲＥＧに適するペイロードを含む場合、基地局１２０は図４のＣＣＥ４２１とＣＣＥ４２２によって２つのＰＤＣＣＨをそれぞれ伝送することができる。
【００５８】
いくつかの実施例では、基地局１２０はチャネル状況又は基準信号の数に応じてバンドルのサイズを選択することができる。例えば、基地局１２０が現在のチャネル状況が良く且つ２つのＲＥＧのみを必要とするＤＭＲＳがＰＤＣＣＨ検出及び／又は復号に用いられると仮定する場合、基地局１２０は２つのＲＥＧを有するバンドルのサイズを選択することができる。別の例として、基地局１２０が現在のチャネル状況がディープフェージング状態にあり且つ８つのＲＥＧを必要とするＤＭＲＳがＰＤＣＣＨ検出及び／又は復号に用いられると仮定する場合、基地局１２０は８つのＲＥＧを有するバンドルのサイズを選択することができる。
【００５９】
代替可能に、基地局１２０は制御チャネルのペイロードのサイズに基づいてバンドルのサイズを選択することができる。例えば、基地局１２０は複数のペイロードを有するＰＤＣＣＨを伝送する必要がある場合、ペイロードが８つのＲＥＧ又は８つのＲＥＧの倍数に適し、基地局１２０は８つのＲＥＧを有するバンドルのサイズを選択することができる。別の例として、基地局１２０が複数のペイロードを有するＰＤＣＣＨを伝送する必要がある場合、ペイロードが２つのＲＥＧ又は２つのＲＥＧの倍数に適し、基地局１２０は２つのＲＥＧを有するバンドルのサイズを選択することができる。
【００６０】
基地局１２０はさらにチャネル状況、基準信号の数、及び／又は制御チャネルのペイロードのサイズの組み合わせに基づいて、バンドルのサイズを選択することができる。例えば、基地局１２０が現在のチャネル状況が良く且つ２つのＲＥＧのみを必要とするＤＭＲＳがＰＤＣＣＨ検出及び／又は復号に用いられると仮定する場合、基地局１２０は２つのＲＥＧを有するバンドルのサイズを選択することができる。その後、基地局１２０はさらに２つのＲＥＧを有するバンドルのサイズが２つのＲＥＧ又は２つのＲＥＧの倍数に適する複数のペイロードを有するＰＤＣＣＨの伝送に用いられてもよいことを確定することができる。
【００６１】
いくつかの実施例では、基地局１２０は制御リソースセットの構成を伝送することができる。制御リソースセットの構成に、ビーム数、制御リソースセットの開始シンボル番号、制御リソースセットのシンボルの数、制御チャネルエレメント（ＣＣＥ）のサイズ、ＣＣＥの数、リソースエレメントグループ（ＲＥＧ）バンドルのサイズ、ＲＥＧバンドルのためのシンボル数とＰＲＢ数の組み合わせ、又はそれらのいずれかの組み合わせのうちの一つ又は複数を含む複数のパラメータが定義される。例えば、基地局１２０はＣＯＲＥＳＥＴ構成を伝送することができる。伝送されるＣＯＲＥＳＥＴ構成は、２つのビーム数、タイムスロットの２番目のシンボルに位置する開始シンボル、ＣＯＲＥＳＥＴに含まれる２つのシンボル、８つのＲＥＧを有するＣＣＥのサイズ、サーチスペースに含まれる２つのＣＣＥ、４つのＲＥＧを有するバンドルのサイズ、及び／又は２つのＰＲＢ×２つのシンボルを示す。
【００６２】
基地局１２０はさらに制御リソースセットの構成に基づいて制御領域で制御チャネルを伝送することができる。例えば、基地局１２０はＣＯＲＥＳＥＴ構成に示される上記パラメータに基づいてＰＤＣＣＨを伝送することができる。
【００６３】
いくつかの実施例では、基地局１２０は別のＣＯＲＥＳＥＴ構成を伝送することができる。例えば、伝送される別のＣＯＲＥＳＥＴ構成は、１つのビーム数、タイムスロットの１番目のシンボルに位置する開始シンボル、ＣＯＲＥＳＥＴに含まれる１つのシンボル、２つのＲＥＧを有するＣＣＥのサイズ、サーチスペースに含まれる４つのＣＣＥ、２つのＲＥＧを有するバンドルのサイズ、及び／又は２つのＰＲＢ×１つのシンボルを示す。
【００６４】
基地局１２０はＣＯＲＥＳＥＴ構成、別のＣＯＲＥＳＥＴ構成、又は該ＣＯＲＥＳＥＴ構成と別のＣＯＲＥＳＥＴ構成の両者に基づいて制御チャネルを伝送することができる。例えば、基地局１２０はＣＯＲＥＳＥＴ構成に示される上記パラメータ及び／又は別のＣＯＲＥＳＥＴ構成に示される上記パラメータに基づいてＰＤＣＣＨを伝送することができる。
【００６５】
図７は本出願のいくつかの実施例による無線通信システムにおけるリソースバインディングを制御するための例示的なＣＣＥからＲＥＧへのマッピング方法７００のフローチャートである。方法７００はバンドルのサイズを選択する（ステップ７１０）ことと、バンドルのサイズに基づき、制御チャネルエレメント（ＣＣＥ）のリソースエレメントグループ（ＲＥＧ）を一つ又は複数のＲＥＧバンドルにバインディングする（ステップ７２０）ことと、ＲＥＧバンドルをインターリーブする（ステップ７３０）ことと、及び該一つ又は複数のＲＥＧバンドルを制御領域における物理リソースエレメントにマッピングする（ステップ７４０）こととを含む。方法７００は基地局１２０によって実施されてもよい。
【００６６】
ステップ７１０はＲＥＧのバンドルのサイズを選択することを含む。例えば、図２に示すように、基地局１２０は４つのＲＥＧを有するバンドルのサイズを選択することができる。ＲＥＧバンドル２４１、ＲＥＧ２４２とＲＥＧバンドル２４８はそれぞれ４つのバインディングされたＲＥＧを含む。表１にＲＥＧバンドルのサイズの例が示される。表に示すように、ＣＣＥのサイズに基づき、基地局１２０はＲＥＧバンドルのサイズを選択し、バインディングされたＲＥＧを従来方式でＯＦＤＭシンボルにおける物理リソースにマッピングすることができる。
【００６７】
例えば、基地局１２０はバンドルのサイズを選択することができ、これにより、含まれるＲＥＧの数の観点から、ＣＣＥのサイズがＲＥＧバンドルのサイズと同じであり、又はＲＥＧバンドルのサイズの倍数、例えば２倍又は３倍である。表に示すように、ＣＣＥのサイズが８つのＲＥＧであり且つサーチスペースに２つのシンボルがあると仮定する場合、基地局１２０は２つのＰＲＢ×２つのシンボルにおける４つのＲＥＧを含むバンドルのサイズ、又は４つのＰＲＢ×２つのシンボルを含む８つのＲＥＧを有するバンドルのサイズを選択することができる。ＣＣＥのサイズが８つのＲＥＧであり且つサーチスペースに４つのシンボルがあると仮定する場合、基地局１２０は２つのＰＲＢ×４つのシンボル又は４つのＰＲＢ×２つのシンボルにおける８つのＲＥＧを含むバンドルのサイズを選択する。
【００６８】
いくつかの実施例では、基地局１２０が８つのＲＥＧを有するバンドルのサイズを選択する場合、基地局１２０はさらに２つのＰＲＢ×４つのシンボル又は４つのＰＲＢ×２つのシンボルを有するＲＥＧバンドルを選択することができる。基地局１２０が１６つのＲＥＧを有するバンドルのサイズを選択する場合、基地局１２０はさらに８つのＰＲＢ×２つのシンボル又は４つのＰＲＢ×４つのシンボルを有するＲＥＧバンドルを選択することができる。
【００６９】
ステップ７２０はバンドルのサイズに基づいて制御チャネルエレメント（ＣＣＥ）のリソースエレメントグループ（ＲＥＧ）を一つ又は複数のＲＥＧバンドルにバインディングすることを含む。例えば、図２に示すように、選択された、４つのＲＥＧを有するバンドルのサイズに基づき、基地局１２０はＣＣＥ２２１の８つのＲＥＧを２つのＲＥＧバンドルにバインディングすることができる。図５に示す別の例では、基地局１２０は、２つのＲＥＧを有するバンドルのサイズを選択することができる。したがって、基地局１２０は、２つのＲＥＧをいずれも含むＲＥＧバンドル５４１とＲＥＧバンドル５４２を形成することができる。基地局１２０はさらに選択されたバンドルのサイズに基づき、２つのＲＥＧをいずれも含むＲＥＧバンドル５４３とＲＥＧバンドル５４４を形成することができる。
【００７０】
ステップ７３０はＲＥＧバンドルをインターリーブすることを含む。例えば、図４に示すように、基地局１２０はさらに形成されたＣＣＥのＲＥＧバンドルをＣＯＲＥＳＥＴでインターリーブすることができる。基地局１２０は、順次分布するＲＥＧバンドル４４１、ＲＥＧバンドル４４２、ＲＥＧバンドル４４３、ＲＥＧバンドル４４４、ＲＥＧバンドル４４５とＲＥＧバンドル４４６を順次分布するＲＥＧバンドル４４５、ＲＥＧバンドル４４３、ＲＥＧバンドル４４１、ＲＥＧバンドル４４４、ＲＥＧバンドル４４２とＲＥＧバンドル４４６にインターリーブすることができる。図５に示す別の例では、基地局１２０は順次分布するＲＥＧバンドル５４１、ＲＥＧバンドル５４２、ＲＥＧバンドル５４３、ＲＥＧバンドル５４４、ＲＥＧバンドル５４５とＲＥＧバンドル５４６を順次分布するＲＥＧバンドル５４５、ＲＥＧバンドル５４３、ＲＥＧバンドル５４１、ＲＥＧバンドル５４４、ＲＥＧバンドル５４２とＲＥＧバンドル５４６にインターリーブすることができる。図６に示す別の例では、基地局１２０は順次分布するＲＥＧバンドル６４１、ＲＥＧバンドル６４２、ＲＥＧバンドル６４３とＲＥＧバンドル６４４及び使用されていないＲＥＧバンドル６４５とＲＥＧバンドル６４６を順次分布するＲＥＧバンドル６４５、ＲＥＧバンドル６４３、ＲＥＧバンドル６４１、ＲＥＧバンドル６４４、ＲＥＧバンドル６４２とＲＥＧバンドル６４６にインターリーブすることができる。ＲＥＧバンドル６４５とＲＥＧ６４６はＣＯＲＥＳＥＴに含まれるが、ＰＤＣＣＨ伝送に用いられない。
【００７１】
ステップ７４０は一つ又は複数のＲＥＧバンドルを制御領域における物理リソースエレメントにマッピングすることを含む。例えば、図２に示すように、基地局１２０はＣＣＥ２２１の２つのＲＥＧバンドルをシンボル２３１におけるＲＥＧバンドル２４１とＲＥＧバンドル２４２に別々にマッピングするように構成されてもよい。基地局１２０は、ＲＥＧバンドル２４１とＲＥＧバンドル２４２でユーザ装置１４０へＰＤＣＣＨを伝送することができる。
【００７２】
いくつかの実施例では、ステップ７１０におけるバンドルのサイズを選択することは、チャネル状況又は基準信号の数に応じてバンドルのサイズを選択することを含むことができる。例えば、基地局１２０が現在のチャネル状況が良く且つ２つのＲＥＧのみを必要とするＤＭＲＳがＰＤＣＣＨ検出及び／又は復号に用いられると仮定する場合、基地局１２０は２つのＲＥＧを有するバンドルのサイズを選択することができる。別の例として、基地局１２０が現在のチャネル状況がディープフェージング状態にあり且つ８つのＲＥＧを必要とするＤＭＲＳがＰＤＣＣＨ検出及び／又は復号に用いられると仮定する場合、基地局１２０は８つのＲＥＧを有するバンドルのサイズを選択することができる。
【００７３】
代替可能に、基地局１２０は制御チャネルのペイロードのサイズに基づいてバンドルのサイズを選択することができる。例えば、基地局１２０が８つのＲＥＧ又は８つのＲＥＧの倍数に適する複数のペイロードを有するＰＤＣＣＨを伝送する必要がる場合、基地局１２０は８つのＲＥＧを有するバンドルのサイズを選択することができる。別の例として、基地局１２０が２つのＲＥＧ又は２つのＲＥＧの倍数に適する複数のペイロードを有するＰＤＣＣＨを伝送する必要がる場合、基地局１２０は２つのＲＥＧを有するバンドルのサイズを選択することができる。
【００７４】
基地局１２０はさらにチャネル状況、基準信号の数、及び／又は制御チャネルのペイロードのサイズの組み合わせに基づいて、バンドルのサイズを選択することができる。例えば、基地局１２０が現在のチャネル状況が良く且つ２つのＲＥＧのみを必要とするＤＭＲＳがＰＤＣＣＨ検出及び／又は復号に用いられると仮定する場合、基地局１２０は２つのＲＥＧを有するバンドルのサイズを選択することができる。その後、基地局１２０はさらに２つのＲＥＧを有するバンドルのサイズが２つのＲＥＧ又は２つのＲＥＧの倍数に適する複数のペイロードを有するＰＤＣＣＨの伝送に用いられてもよいことを確定することができる。
【００７５】
いくつかの実施例では、ステップ７２０における第一のＣＣＥのＲＥＧを一つ又は複数の第一のＲＥＧにバインディングすることは、周波数優先方式、時間優先方式、又は両者の組み合わせによって、第一のＣＣＥ内に一つ又は複数のＲＥＧを構成することで各第一のＲＥＧバンドルを形成することを含む。基地局１２０はＲＥＧバンドル内にＲＥＧを周波数優先方式で構成することで各ＣＣＥのＲＥＧバンドルを形成することができる。例えば、図３に示すように、基地局１２０はＣＣＥ３２１のＲＥＧをＲＥＧバンドル３４２のＲＥＧ１、ＲＥＧ２、ＲＥＧ３、ＲＥＧ４に順次マッピングする。即ち、基地局１２０はまずＣＣＥのＲＥＧを周波数領域に跨る各シンボルにおける物理ＲＥＧにマッピングし、即ち周波数優先方式で物理ＲＥＧにマッピングする。
【００７６】
代替可能に、基地局１２０はＲＥＧバンドル内にＲＥＧを時間優先方式で構成することでＣＣＥのＲＥＧバンドルを形成することができる。例えば、図３に示すように、基地局１２０はＣＣＥ３２１のＲＥＧをＲＥＧバンドル３４１のＲＥＧ１、ＲＥＧ２、ＲＥＧ３、ＲＥＧ４に順次マッピングする。即ち、基地局１２０はまずＣＣＥのＲＥＧをシンボルに跨るシンボルにおける各物理ＲＥＧにマッピングし、即ち時間優先方式で各物理ＲＥＧにマッピングする。
【００７７】
基地局１２０はさらに時間優先方式と周波数優先方式の組み合わせでＲＥＧバンドル内にＲＥＧを構成することでＣＣＥのＲＥＧバンドルを形成することができる。例えば、図３に示すように、基地局１２０はＣＣＥ３２１の第一のＲＥＧバンドルを形成し、上述した時間優先方式でシンボル３３１とシンボル３３２におけるＲＥＧバンドル３４１にマッピングすることができる。基地局１２０はさらにＣＣＥ３２１の第二のＲＥＧバンドルを形成し、上述した周波数優先方式でシンボル３３１とシンボル３３２におけるＲＥＧバンドル３４２にマッピングすることができる。即ち、基地局１２０は時間優先方式と周波数優先方式の組み合わせでＣＣＥの２つのＲＥＧバンドルをシンボルにおけるＲＥＧバンドルにマッピングすることができる。
【００７８】
いくつかの実施例では、ステップ７４０における一つ又は複数の第一のＲＥＧバンドルを物理リソースエレメントにマッピングすることは、連続方式、分散方式又は両者の組み合わせによって、第一のＲＥＧバンドルを物理リソースエレメントにマッピングすることを含むことができる。基地局１２０はＣＣＥのＲＥＧバンドルを連続の方式でシンボルにおけるＲＥＧバンドルにマッピングすることができる。例えば、図４に示すように、基地局１２０はインターリーブされたＲＥＧバンドル４４５、ＲＥＧバンドル４４３、ＲＥＧバンドル４４１、ＲＥＧバンドル４４４、ＲＥＧバンドル４４２とＲＥＧバンドル４４６を連続の方式でシンボル４３１とシンボル４３２におけるそれらのＲＥＧバンドルにマッピングすることができる。例えば、図５に示す別の例では、基地局１２０はインターリーブされたＲＥＧバンドル５４５、ＲＥＧバンドル５４３、ＲＥＧバンドル５４１、ＲＥＧバンドル５４４、ＲＥＧバンドル５４２とＲＥＧバンドル５４６を連続の方式でシンボル５３１におけるそれらのＲＥＧバンドルにマッピングすることができる。
【００７９】
代替可能に、基地局１２０はＣＣＥのＲＥＧバンドルを分散の方式でＯＦＤＭシンボルにおけるＲＥＧバンドルにマッピングすることができる。例えば、図２に示すように、基地局１２０はＣＣＥ２２１の２のＲＥＧバンドルをシンボル２３１における分散するＲＥＧバンドル２４１とＲＥＧバンドル２４２にマッピングすることができる。
【００８０】
基地局１２０はさらにＣＣＥのＲＥＧバンドルを分散方式と連続方式の組み合わせでシンボルにおけるＲＥＧバンドルにマッピングすることができる。例えば、基地局１２０が２つのＲＥＧを有するバンドルのサイズを選択する場合、基地局１２０はＣＣＥ２２１の８つのＲＥＧを４つのＲＥＧバンドルにバインディングすることができる。基地局１２０はＣＣＥ２２１の先頭の２つのＲＥＧバンドルをシンボル２３１における２つの連続したＲＥＧバンドル（示せず）にマッピングし、そしてＣＣＥ  ２２１の最後の２つのＲＥＧバンドルをシンボル２３１における別の２つの連続したＲＥＧバンドル（示せず）にマッピングすることができる。基地局１２０はシンボル２３１において先頭の２つの連続したＲＥＧバンドルと最後の２つの連続したＲＥＧバンドルをそれぞれマッピングすることができる。
【００８１】
いくつかの実施例では、方法７００はさらにバンドルのサイズに基づいて第二のＣＣＥのＲＥＧを一つ又は複数の第二のＲＥＧバンドルにバインディングし、そして第一のＲＥＧバンドルと第二のＲＥＧバンドルをインターリーブすることを含むことができる。ステップ７４０における一つ又は複数の第一のＲＥＧバンドルを物理リソースエレメントにマッピングすることは、インターリーブした後に第一のＲＥＧバンドルと第二のＲＥＧバンドルを物理リソースエレメントにマッピングすることを含むことができる。
【００８２】
例えば、図４に示すように、基地局１２０は４つのＲＥＧを有するバンドルのサイズを選択することができる。基地局１２０は上述した時間優先方式でＣＣＥ４２１のための２つのＲＥＧバンドル、即ちＲＥＧバンドル４４１とＲＥＧバンドル４４２を形成する。基地局１２０は、さらに時間優先方式でＣＣＥ４２２のための２つのＲＥＧバンドル、即ちＲＥＧバンドル４４３とＲＥＧバンドル４４４を形成する。基地局１２０は、順次分布するＲＥＧバンドル４４１、ＲＥＧバンドル４４２、ＲＥＧバンドル４４３、ＲＥＧバンドル４４４を順次分布するＲＥＧバンドル４４３、ＲＥＧバンドル４４１、ＲＥＧバンドル４４４、ＲＥＧバンドル４４２にインターリーブする。基地局１２０はインターリーブされたＲＥＧバンドル４４３、ＲＥＧバンドル４４１、ＲＥＧバンドル４４４、ＲＥＧバンドル４４２を連続の方式でシンボル４３１とシンボル４３２におけるそれらのＲＥＧバンドルにマッピングすることができる。
【００８３】
いくつかの実施例では、方法７００はさらにバンドルのサイズに基づいて第二のＣＣＥの各ＲＥＧを一つ又は複数の第二のＲＥＧバンドルにバインディングし、そして第一のＲＥＧバンドル、第二のＲＥＧバンドル及び一つ又は複数の使用されていないＲＥＧをインターリーブすることをさらに含むことができる。ステップ７４０における一つ又は複数の第一のＲＥＧバンドルを物理リソースエレメントにマッピングすることは、インターリーブした後に第一のＲＥＧバンドル、第二のＲＥＧバンドルと一つ又は複数の使用されていないＲＥＧを物理リソースエレメントにマッピングすることを含むことができる。
【００８４】
例えば、図５に示すように、基地局１２０は上述した周波数優先方式でＣＣＥ５２１のための２つのＲＥＧバンドル、即ちＲＥＧバンドル５４１とＲＥＧバンドル５４２を形成することができる。基地局１２０は、さらに周波数優先方式でＣＣＥ５２２のための２つのＲＥＧバンドル、即ちＲＥＧバンドル５４３とＲＥＧバンドル５４４を形成することができる。また、基地局１２０はＣＣＥ５２３を用いてＰＤＣＣＨ伝送を行わない。それにもかかわらず、基地局１２０は、さらにＣＣＥ５２３のための２つのＲＥＧバンドル、即ちＲＥＧバンドル５４５とＲＥＧバンドル５４６を形成することができる。基地局１２０は、順次分布するＲＥＧバンドル５４１、ＲＥＧバンドル５４２、ＲＥＧバンドル５４３、ＲＥＧバンドル５４４、ＲＥＧバンドル５４５とＲＥＧバンドル５４６を順次分布するＲＥＧバンドル５４５、ＲＥＧバンドル５４３、ＲＥＧバンドル５４１、ＲＥＧバンドル５４４にインターリーブすることができる。インターリーブした後、基地局１２０はインターリーブされたＲＥＧバンドル５４５、ＲＥＧバンドル５４３、ＲＥＧバンドル５４１、ＲＥＧバンドル５４４、ＲＥＧバンドル５４２とＲＥＧバンドル５４６を連続の方式でシンボル５３１におけるそれらのＲＥＧバンドルにマッピングすることができる。
【００８５】
いくつかの実施例では、方法７００はさらに第一のＣＣＥと第二のＣＣＥで制御チャネル又は２つの異なる制御チャネルを伝送することを含むことができる。例えば、基地局１２０は図４のＣＣＥ４２１とＣＣＥ４２２でＰＤＣＣＨを伝送することができる。別の例として、基地局１２０は、図５のＣＣＥ５２１とＣＣＥ５２２でＰＤＣＣＨを伝送することができる。
【００８６】
代替可能に、図４において、基地局１２０はＣＣＥ４２１でＰＤＣＣＨ＃１を伝送し、ＣＣＥ４２２でＰＤＣＨ＃２を伝送することができる。別の例として、図５において、基地局１２０はＣＣＥ５２１でＰＤＣＣＨ＃１を伝送し、ＣＣＥ５２２でＰＤＣＨ＃２を伝送することができる。
【００８７】
いくつかの実施例では、方法７００はさらにバンドルのサイズに基づいて第二のＣＣＥの各ＲＥＧを一つ又は複数の第二のＲＥＧバンドルにバインディングし、そして第一のＲＥＧバンドル、第二のＲＥＧバンドル及び一つ又は複数の使用されていないＲＥＧをインターリーブすることをさらに含むことができる。ステップ７４０における一つ又は複数の第一のＲＥＧバンドルを物理リソースエレメントにマッピングすることは、インターリーブした後に第一のＲＥＧバンドル、第二のＲＥＧバンドルと一つ又は複数の使用されていないＲＥＧを物理リソースエレメントにマッピングすることを含むことができる。少なくとも一つの使用されていないＲＥＧはユーザデータの伝送に用いられる。
【００８８】
例えば、図６に示すように、基地局１２０は、さらに時間優先方式でＣＣＥ６２２のための２つのＲＥＧバンドル、即ちＲＥＧバンドル６４３とＲＥＧバンドル６４４を形成する。また、基地局１２０は、用いられないＣＣＥ６２３のための２つのＲＥＧバンドル、即ちＲＥＧバンドル６４５とＲＥＧバンドル６４６を形成することができる。基地局１２０は、順次分布するＲＥＧバンドル６４１、ＲＥＧバンドル６４２、ＲＥＧバンドル６４３とＲＥＧバンドル６４４及び使用されていないＲＥＧバンドル６４５とＲＥＧバンドル６４６を順次分布するＲＥＧバンドル６４５、ＲＥＧバンドル６４３、ＲＥＧバンドル６４１、ＲＥＧバンドル６４４、ＲＥＧバンドル６４２とＲＥＧバンドル６４６にインターリーブすることができる。ＲＥＧバンドル６４５とＲＥＧ６４６はＣＯＲＥＳＥＴに含まれるが、ＰＤＣＣＨ伝送に用いられない。インターリーブした後、基地局１２０はインターリーブされた、使用されていないＲＥＧバンドル６４５、ＲＥＧバンドル６４３、ＲＥＧバンドル６４１、ＲＥＧバンドル６４４、ＲＥＧバンドル６４２と使用されていないＲＥＧバンドル６４６を連続の方式でシンボル６３１とシンボル６３２におけるそれらのＲＥＧバンドルにマッピングすることができる。基地局１２０はＰＤＳＣＨ  ＲＢＧ６６１とＰＤＳＣＨ  ＲＢＧ６６２でＰＤＳＣＨを伝送することができる。ＰＤＳＣＨ  ＲＢＧ６６１とＰＤＳＣＨ  ＲＢＧ６６２はシンボル６３１とシンボル６３２及びＰＤＳＣＨ伝送に利用可能なより多くのシンボルを含むことができる。
【００８９】
別の態様では、無線通信システムにおけるリソースバインディングを制御するための別の方法は制御リソースセットの構成を伝送することを含むことができる。制御リソースセットの構成は、ビーム数、制御リソースセットの開始シンボル番号、制御リソースセットのシンボルの数、制御チャネルエレメント（ＣＣＥ）のサイズ、ＣＣＥの数、リソースエレメントグループ（ＲＥＧ）バンドルのサイズ、ＲＥＧバンドルのためのシンボル数とＲＥＧ数の組み合わせ、又はそれらのいずれかの組み合わせを含む複数のパラメータを示す。該方法はさらに制御リソースセットの構成に基づいて制御領域で制御チャネルを伝送することを含むことができる。
【００９０】
例えば、基地局１２０はＣＯＲＥＳＥＴ構成を伝送することができる。伝送されるＣＯＲＥＳＥＴ構成は、２つのビーム数、タイムスロットの２番目のシンボルに位置する開始シンボル、ＣＯＲＥＳＥＴに含まれる２つのシンボル、８つのＲＥＧを有するＣＣＥのサイズ、サーチスペースに含まれる２つのＣＣＥ、４つのＲＥＧを有するバンドルのサイズ、及び／又は２つのＰＲＢ×２つのシンボルを示す。別の例として、基地局１２０は図２、図３、図４、図５又は図６におけるＣＯＲＥＳＥＴ構成を伝送することができる。
【００９１】
基地局１２０はＣＯＲＥＳＥＴ構成に示される上記パラメータに基づいてＰＤＣＣＨを伝送することができる。
【００９２】
該方法はさらに別の制御リソースセットの別の構成を伝送することができる。制御領域で制御チャネルを伝送することは該構成、別の構成、又は該構成と別の構成の両者に基づいて制御チャネルを伝送することを含む。
【００９３】
例えば、基地局１２０は別のＣＯＲＥＳＥＴ構成を伝送することができる。伝送される別のＣＯＲＥＳＥＴ構成は、１つのビーム数、タイムスロットの１番目のシンボルに位置する開始シンボル、ＣＯＲＥＳＥＴに含まれる１つのシンボル、２つのＲＥＧを有するＣＣＥのサイズ、サーチスペースに含まれる４つのＣＣＥ、２つのＲＥＧを有するバンドルのサイズ、及び／又は２つのＰＲＢ×１つのシンボルを示す。別の例として、基地局１２０は図２、図３、図４、図５又は図６におけるＣＯＲＥＳＥＴ構成を伝送することができる。
【００９４】
基地局１２０はＣＯＲＥＳＥＴ構成に示される上記パラメータ及び／又は別のＣＯＲＥＳＥＴ構成に示される上記パラメータに基づいてＰＤＣＣＨを伝送することができる。
【００９５】
図８は本出願のいくつかの実施例による無線通信システムにおける制御リソースを検出するための例示的な方法８００のフローチャートである。方法８００はバンドルのサイズを取得する（ステップ８１０）ことと、制御リソースセットにおける制御チャネルを検出する（ステップ８２０）ことと、及び制御リソースセットにおける制御チャネルを復号する（ステップ８３０）こととを含む。方法８００はユーザ装置１４０又はユーザ装置１６０によって実行されてもよい。
【００９６】
ステップ８１０はバンドルのサイズを取得することを含む。例えば、図２に示すように、ユーザ装置１４０は、システム情報又はユーザ装置１４０のための専用の構成情報から、基地局１２０によって用いられるバンドルのサイズを取得することができる。例えば、ユーザ装置１４０はシステムブロードキャスト（ＢＣＨ）から４つのＲＥＧを有するバンドルのサイズを取得することができる。別の例として、ユーザ装置１４０はＣＯＲＥＳＥＴの構成から４つのＲＥＧを有するバンドルのサイズを取得することができる。
【００９７】
上述したように、基地局１２０はＣＣＥのサイズとＣＯＲＥＳＥＴにおける利用可能なシンボルに基づいてバンドルのサイズを選択することができる。ユーザ装置１４０は、システム情報又はユーザ装置１４０に専用される構成情報から、基地局１２０によって用いられるバンドルのサイズを取得することができる。例えば、基地局１２０は表１における一つのバンドルのサイズを用いることができる。ユーザ装置１４０はＢＣＨと物理層又は上位層におけるバンドルのサイズの指示から基地局によって用いられるバンドルのサイズを取得することができる。
【００９８】
ステップ８２０は制御リソースセットにおいて制御チャネルを検出することを含む。例えば、図２に示すように、ユーザ装置１４０はシンボル２３１におけるＲＥＧバンドル２４１とＲＥＧバンドル２４２でそのＰＤＣＣＨを検出することができる。図３に示すように、ユーザ装置１４０はシンボル３３１とシンボル３３２におけるＲＥＧバンドル３４１、ＲＥＧバンドル３４２、ＲＥＧバンドル３４３でそのＰＤＣＣＨを検出することができる。例えば、ユーザ装置１４０は図４、図５又は図６におけるＲＥＧバンドルでそのＰＤＣＣＨを検出することができる。
【００９９】
ステップ８３０は制御リソースセットにおける制御チャネルを復号することを含む。例えば、図２に示すように、ユーザ装置１４０がバンドル２４１とバンドル２４２でそのＰＤＣＣＨを検出した場合、ユーザ装置１４０は検出されたＲＥＧバンドル２４１とＲＥＧバンドル２４２でのＰＤＣＣＨを復号して制御構成及び関連パラメータを取得することができる。別の例として、ユーザ装置１４０が図３、図４、図５又は図６におけるＲＥＧバンドルでそのＰＤＣＣＨを検出した場合、ユーザ装置１４０は検出されたＲＥＧバンドルでのＰＤＣＣＨを復号して制御構成及び関連パラメータを取得することができる。
【０１００】
いくつかの実施例では、方法８００はさらに使用されていないＲＥＧバンドでＰＤＳＣＨを受信することを含むことができる。例えば、図６に示すように、基地局１２０は使用されていないＲＥＧバンドルによってマッピングされた物理ＲＥＧバンドルで伝送されるＰＤＳＣＨを構成することができる。これらの物理ＲＥＧはＰＤＣＣＨ伝送に用いられない。基地局１２０はＰＤＳＣＨ  ＲＢＧ６６１とＰＤＳＣＨ  ＲＢＧ６６２でＰＤＳＣＨを伝送するように構成されてもよい。ＰＤＳＣＨ  ＲＢＧ６６１とＰＤＳＣＨ  ＲＢＧ６６２はシンボル６３１とシンボル６３２及びＰＤＳＣＨ伝送に利用可能なより多くのシンボルを含むことができる。基地局１２０の構成に基づき、ユーザ装置１４０はＰＤＳＣＨ  ＲＢＧ６６１とＰＤＳＣＨ  ＲＢＧ６６２でそのＰＤＳＣＨを受信することができる。
【０１０１】
別の態様では、無線通信システムにおける制御リソースを検出するための別の方法は、制御リソースセットの構成を受信することを含むことができる。制御リソースセットの構成は、ビーム数、制御リソースセットの開始シンボル番号、制御リソースセットのシンボルの数、制御チャネルエレメント（ＣＣＥ）のサイズ、ＣＣＥの数、リソースエレメントグループ（ＲＥＧ）バンドルのサイズ、ＲＥＧバンドルのためのシンボル数とＲＥＧ数の組み合わせ、又はそれらのいずれかの組み合わせを含む複数のパラメータを示す。該方法はさらに制御リソースセットの構成に基づいて制御領域で制御チャネルを受信することを含むことができる。
【０１０２】
例えば、基地局１２０はＣＯＲＥＳＥＴ構成を伝送することができる。伝送されるＣＯＲＥＳＥＴ構成は、２つのビーム数、タイムスロットの２番目のシンボルに位置する開始シンボル、ＣＯＲＥＳＥＴに含まれる２つのシンボル、８つのＲＥＧを有するＣＣＥのサイズ、サーチスペースに含まれる２つのＣＣＥ、４つのＲＥＧを有するバンドルのサイズ、及び／又は２つのＰＲＢ×２つのシンボルを示す。基地局１２０はＣＯＲＥＳＥＴ構成に示される上記パラメータに基づいてＰＤＣＣＨを伝送することができる。ユーザ装置１４０は基地局１２０からＣＯＲＥＳＥＴ構成を受信することができる。ユーザ装置１４０はＣＯＲＥＳＥＴ構成に基づいてそのＰＤＣＣＨを受信することができる。
【０１０３】
該方法はさらに別の制御リソースセットの別の構成を受信することができる。該方法における制御領域で制御チャネルを受信することは該構成、別の構成、又は該構成と別の構成の両者に基づいて制御チャネルを受信することを含む。
【０１０４】
例えば、基地局１２０は別のＣＯＲＥＳＥＴ構成を伝送することができる。伝送される別のＣＯＲＥＳＥＴ構成は、１つのビーム数、タイムスロットの１番目のシンボルに位置する開始シンボル、ＣＯＲＥＳＥＴに含まれる１つのシンボル、２つのＲＥＧを有するＣＣＥのサイズ、サーチスペースに含まれる４つのＣＣＥ、２つのＲＥＧを有するバンドルのサイズ、及び／又は２つのＰＲＢ×１つのシンボルを示す。ユーザ装置１４０は該ＣＯＲＥＳＥＴ構成、別のＣＯＲＥＳＥＴ構成、又は該ＣＯＲＥＳＥＴ構成と別のＣＯＲＥＳＥＴ構成の両者に基づいて制御チャネルを受信することができる。
【０１０５】
図９は本出願のいくつかの実施例による無線通信システムで制御チャネルを伝送するための例示的なネットワーク装置９００を示す図である。ネットワーク装置９００は内部メモリ９１０、プロセッサ９２０、メモリ９３０、Ｉ／Ｏインタフェース９４０、及び通信ユニット９５０を備える。ネットワーク装置９００のこれらのユニットのうちの一つ又は複数のユニットは無線通信システムで制御チャネルの構成及び／又は伝送を行うために含まれてもよい。これらのユニットは各ペアの間に又は相互にデータを伝送し、命令を送信又は受信するように構成されてもよい。図１に示す基地局１２０はネットワーク装置９００として構成されてもよい。ネットワーク装置９００は無線通信システムにおける基地局、中継局、遠隔無線ユニット、ネットワークノード又はホーム基地局であってもよい。
【０１０６】
プロセッサ９２０はいかなる適切なタイプの汎用又は専用マイクロプロセッサ、デジタル信号プロセッサ又はマイクロコントローラを含む。プロセッサ９２０は基地局１２０におけるプロセッサの一つであってもよい。内部メモリ９１０とメモリ９３０はプロセッサ９２０で操作する必要があるいかなるタイプの情報を記憶するためのいかなる適切なタイプの大容量メモリを含むことができる。内部メモリ９１０とメモリ９３０は揮発性又は不揮発性、磁気、半導体、磁気テープ、光学、移動可能、移動不可能又は他のタイプの記憶デバイス、又は読み取り専用メモリ（ＲＯＭ）、フラッシュメモリ、ダイナミックランダムアクセスメモリ（ＲＡＭ）とスタティックＲＡＭを含むがこれらに限定されない有形の（即ち非一時的な）コンピュータ可読媒体であってもよい。本明細書で開示されるように、内部メモリ９１０及び／又はメモリ９３０はプロセッサ９２０が無線通信システムにおける例示的なリソースバインディング制御を実行するための一つ又は複数のプログラムを記憶するように構成されてもよい。
【０１０７】
内部メモリ９１０及び／又はメモリ９３０はさらにプロセッサ９２０に用いられる情報及びデータを記憶するように構成されてもよい。例えば、内部メモリ９１０及び／又はメモリ９３０はバンドルのサイズ、マッピングのための連続方式及び／又は分散方式、マッピングのための周波数優先方式及び／又は時間優先方式、システム情報、ＣＯＲＥＳＥＴ構成とユーザ装置のためのＣＯＲＥＳＥＴを記憶するように構成されてもよい。
【０１０８】
Ｉ／Ｏインタフェース９４０はネットワーク装置９００と他の装置との通信を促進するように構成されてもよい。例えば、Ｉ／Ｏインタフェース９４０は別の装置（例えばコンピュータ）から信号を受信することができ、該別の装置がネットワーク装置９００のためのシステム構成を含む。Ｉ／Ｏインタフェース９４０はさらに他の装置に伝送統計データを出力することができる。
【０１０９】
通信ユニット９５０は、例えば５Ｇの新しい無線システム、長期進化（ＬＴＥ）、高速パケットアクセス（ＨＳＰＡ）、広帯域符号分割多元接続（ＷＣＤＭＡ）及び／又はグローバル移動通信システム（ＧＳＭ）通信モジュールを含む一つ又は複数のセルラー通信モジュールを含むことができる。
【０１１０】
プロセッサ９２０はＲＥＧバンドルのサイズを選択するように構成されてもよい。例えば、図２に示すように、プロセッサ９２０は４つのＲＥＧを有するバンドルのサイズを選択するように構成されてもよい。ＲＥＧバンドル２４１、ＲＥＧ２４２とＲＥＧバンドル２４８はそれぞれ４つのバインディングされたＲＥＧを含む。表１にＲＥＧバンドルのサイズの例が示される。表に示すように、ＣＣＥのサイズに基づき、プロセッサ９２０はＲＥＧバンドルのサイズを選択し、バインディングされたＲＥＧを従来方式でＯＦＤＭシンボルにおける物理リソースにマッピングするように構成されてもよい。
【０１１１】
例えば、プロセッサ９２０は、ＲＥＧに対してＲＥＧバンドルと同じであり、又はＲＥＧバンドルのサイズの倍数、例えば２倍又は３倍であってもよい、ＣＣＥのサイズのためのバンドルのサイズを選択するように構成されてもよい。表に示すように、ＣＣＥのサイズが８つのＲＥＧであり且つサーチスペースに２つのシンボルがあると仮定する場合、プロセッサ９２０は２つのＰＲＢ×２つのシンボルの４つのＲＥＧを含むバンドルのサイズ、又は４つのＰＲＢ×２つのシンボルの８つのＲＥＧを有するバンドルのサイズを選択するように構成されてもよい。ＣＣＥのサイズが８つのＲＥＧであり且つサーチスペースに４つのシンボルがあると仮定する場合、プロセッサ９２０は２つのＰＲＢ×４つのシンボル又は４つのＰＲＢ×２つのシンボルにおける８つのＲＥＧを含むバンドルのサイズを選択するように構成されてもよい。
【０１１２】
いくつかの実施例では、プロセッサ９２０が８つのＲＥＧを有するバンドルのサイズを選択するように構成される場合、プロセッサ９２０はさらに２つのＰＲＢ×４つのシンボル又は４つのＰＲＢ×２つのシンボルを有するＲＥＧバンドルを選択するように構成されてもよい。プロセッサ９２０が１６つのＲＥＧを有するバンドルのサイズを選択するように構成される場合、プロセッサ９２０はさらに８つのＰＲＢ×２つのシンボル又は４つのＰＲＢ×４つのシンボルを有するＲＥＧバンドルを選択するように構成されてもよい。
【０１１３】
ステップ９２０はさらにバンドルのサイズに基づいて制御チャネルエレメント（ＣＣＥ）のリソースエレメントグループ（ＲＥＧ）を一つ又は複数のＲＥＧバンドルにバインディングするように構成されてもよい。例えば、図２に示すように、選択された、４つのＲＥＧを有するバンドルのサイズに基づき、基地局９２０はＣＣＥ２２１の８つのＲＥＧを２つのＲＥＧバンドルにバインディングするように構成されてもよい。図５に示す別の例では、プロセッサ９２０は２つのＲＥＧを有するバンドルのサイズを選択するように構成されてもよい。したがって、プロセッサ９２０は２つのＲＧＥをいずれも含む２つのＲＥＧバンドル、即ちＲＥＧバンドル５４１とＲＥＧバンドル５４２を形成するように構成されてもよい。プロセッサ９２０はさらに選択されたバンドルのサイズと一致する２つのＲＧＥをいずれも含む２つのＲＥＧバンドル、即ちＲＥＧバンドル５４３とＲＥＧバンドル５４４を形成するように構成されてもよい。
【０１１４】
プロセッサ９２０はさらにＲＥＧバンドルをインターリーブするように構成されてもよい。例えば、図４に示すように、プロセッサ９２０はＣＯＲＥＳＥＴで形成されたＣＣＥのＲＥＧバンドルをインターリーブするように構成されてもよい。プロセッサ９２０は、順次分布するＲＥＧバンドル４４１、ＲＥＧバンドル４４２、ＲＥＧバンドル４４３、ＲＥＧバンドル４４４、ＲＥＧバンドル４４５とＲＥＧバンドル４４６を順次分布するＲＥＧバンドル４４５、ＲＥＧバンドル４４３、ＲＥＧバンドル４４１、ＲＥＧバンドル４４４、ＲＥＧバンドル４４２とＲＥＧバンドル４４６にインターリーブするように構成されてもよい。図５に示す別の例では、プロセッサ９２０は、順次分布するＲＥＧバンドル５４１、ＲＥＧバンドル５４２、ＲＥＧバンドル５４３、ＲＥＧバンドル５４４、ＲＥＧバンドル５４５とＲＥＧバンドル５４６を順次分布するＲＥＧバンドル５４５、ＲＥＧバンドル５４３、ＲＥＧバンドル５４１、ＲＥＧバンドル５４４、ＲＥＧバンドル５４２とＲＥＧバンドル５４６にインターリーブするように構成されてもよい。図６に示す別の例では、プロセッサ９２０は、順次分布するＲＥＧバンドル６４１、ＲＥＧバンドル６４２、ＲＥＧバンドル６４３とＲＥＧバンドル６４４及び使用されていないＲＥＧバンドル６４５とＲＥＧバンドル６４６を順次分布するＲＥＧバンドル６４５、ＲＥＧバンドル６４３、ＲＥＧバンドル６４１、ＲＥＧバンドル６４４、ＲＥＧバンドル６４２とＲＥＧバンドル６４６にインターリーブするように構成されてもよい。ＲＥＧバンドル６４５とＲＥＧ６４６はＣＯＲＥＳＥＴに含まれるが、ＰＤＣＣＨ伝送に用いられない。
【０１１５】
プロセッサ９２０は、さらに一つ又は複数のＲＥＧバンドルを制御領域における物理リソースエレメントにマッピングするように構成されてもよい。例えば、図２に示すように、プロセッサ９２０はＣＣＥ２２１の２つのＲＥＧバンドルをシンボル２３１におけるＲＥＧバンドル２４１とＲＥＧバンドル２４２に別々にマッピングするように構成されてもよい。基地局は、ＲＥＧバンドル２４１とＲＥＧバンドル２４２でユーザ装置１４０へＰＤＣＣＨを伝送することができる。
【０１１６】
いくつかの実施例では、プロセッサ９２０はさらに上記の方法７００に対して説明される各ステップを実行するように構成されてもよい。
【０１１７】
別の態様では、プロセッサ９２０は通信ユニット９５０を介して制御リソースセットの構成を伝送するように構成されてもよい。制御リソースセットの構成は、ビーム数、制御リソースセットの開始シンボル番号、制御リソースセットのシンボルの数、制御チャネルエレメント（ＣＣＥ）のサイズ、ＣＣＥの数、リソースエレメントグループ（ＲＥＧ）バンドルのサイズ、ＲＥＧバンドルのためのシンボル数とＲＥＧ数の組み合わせ、又はそれらのいずれかの組み合わせを含む複数のパラメータを示す。プロセッサ９２０は、さらに制御リソースセットの構成に基づき、制御領域で制御チャネルを伝送するように通信ユニット９５０を制御するように構成されてもよい。
【０１１８】
例えば、プロセッサ９２０はＣＯＲＥＳＥＴ構成を伝送するように通信ユニット９５０を制御するように構成されてもよい。伝送されるＣＯＲＥＳＥＴ構成は、２つのビーム数、タイムスロットの２番目のシンボルに位置する開始シンボル、ＣＯＲＥＳＥＴに含まれる２つのシンボル、８つのＲＥＧを有するＣＣＥのサイズ、サーチスペースに含まれる２つのＣＣＥ、４つのＲＥＧを有するバンドルのサイズ、及び／又は２つのＰＲＢ×２つのシンボルを示す。別の例として、プロセッサ９２０は、図２、図３、図４、図５又は図６におけるＣＯＲＥＳＥＴ構成を伝送するように通信ユニット９５０を制御するように構成されてもよい。
【０１１９】
プロセッサ９２０は、該ＣＯＲＥＳＥＴ構成に示される上記パラメータに基づき、ＰＤＣＣＨを伝送するように通信ユニット９５０を制御するように構成されてもよい。
【０１２０】
プロセッサ９２０はさらに別の制御リソースセットの別の構成を伝送するように通信ユニット９５０を制御するように構成されてもよい。プロセッサ９２０は該構成、別の構成、又は該構成と別の構成の両者に基づいて制御チャネルを伝送するように構成されてもよい。
【０１２１】
例えば、プロセッサ９２０は別のＣＯＲＥＳＥＴ構成を伝送するように通信ユニット９５０を制御するように構成されてもよい。伝送される別のＣＯＲＥＳＥＴ構成は、１つのビーム数、タイムスロットの１番目のシンボルに位置する開始シンボル、ＣＯＲＥＳＥＴに含まれる１つのシンボル、２つのＲＥＧを有するＣＣＥのサイズ、サーチスペースに含まれる４つのＣＣＥ、２つのＲＥＧを有するバンドルのサイズ、及び／又は２つのＰＲＢ×１つのシンボルを示す。別の例として、プロセッサ９２０は、図２、図３、図４、図５又は図６におけるＣＯＲＥＳＥＴ構成を伝送するように通信ユニット９５０を制御するように構成されてもよい。
【０１２２】
プロセッサ９２０は該ＣＯＲＥＳＥＴ構成に示される上記パラメータ及び／又は別のＣＯＲＥＳＥＴ構成に示される上記パラメータに基づき、ＰＤＣＣＨを伝送するように通信ユニットを制御するように構成されてもよい。
【０１２３】
図１０は本出願のいくつかの実施例による無線通信システムにおいて制御チャネルを検出するための例示的なユーザ装置１０００を示す図である。図１に示すユーザ装置１４０又はユーザ装置１６０はユーザ装置１０００として構成されてもよい。ユーザ装置１０００は内部メモリ１０１０、プロセッサ１０２０、メモリ１０３０、Ｉ／Ｏインタフェース１０４０及び通信ユニット１０５０を備える。ユーザ装置１０００のこれらのユニットのうちの一つ又は複数のユニットは無線通信システムで制御チャネルの構成を受信及び／又は制御チャネルを検出するために含まれてもよい。これらのユニットは各ペアの間に又は相互にデータを伝送し、命令を送信又は受信するように構成されてもよい。
【０１２４】
プロセッサ１０２０はいかなる適切なタイプの汎用又は専用マイクロプロセッサ、デジタル信号プロセッサ又はマイクロコントローラを含む。内部メモリ１０１０とメモリ１０３０は上述した内部メモリ９１０とメモリ９３０として構成されてもよい。内部メモリ１０１０及び／又はメモリ１０３０はさらにプロセッサ１０２０に用いられる情報及びデータを記憶するように構成されてもよい。例えば、内部メモリ１０１０及び／又はメモリ１０３０はバンドルのサイズ、マッピングのための連続方式及び／又は分散方式、マッピングのための周波数優先方式及び／又は時間優先方式、システム情報、ＣＯＲＥＳＥＴ構成とユーザ装置のためのＣＯＲＥＳＥＴを記憶するように構成されてもよい。
【０１２５】
Ｉ／Ｏインタフェース１０４０はユーザ装置１０００と他の装置との通信を促進するように構成されてもよい。例えば、Ｉ／Ｏインタフェース１０４０はユーザ装置１０００のためのシステム構成を含む別の装置（例えばコンピュータ）から信号を受信することができる。Ｉ／Ｏインタフェース１０４０はさらに他の装置に検出統計データを出力することができる。
【０１２６】
通信ユニット１０５０は、例えば５Ｇの新しい無線システム、長期進化（ＬＴＥ）、高速パケットアクセス（ＨＳＰＡ）、広帯域符号分割多元接続（ＷＣＤＭＡ）及び／又はグローバル移動通信システム（ＧＳＭ）通信モジュールを含む一つ又は複数のセルラー通信モジュールを含むことができる。
【０１２７】
プロセッサ１０２０はバンドルのサイズを取得するように構成されてもよい。例えば、図２に示すように、プロセッサ１０２０は、システム情報又はユーザ装置１０００のための専用の構成情報から、基地局１２０によって用いられるバンドルのサイズを取得するように構成されてもよい。例えば、プロセッサ１０２０はシステムブロードキャスト（ＢＣＨ）から４つのＲＥＧを有するバンドルのサイズを取得するように構成されてもよい。別の例として、プロセッサ１０２０はＣＯＲＥＳＥＴの構成から４つのＲＥＧを有するバンドルのサイズを取得するように構成されてもよい。
【０１２８】
上述したように、基地局１２０はＣＯＲＥＳＥＴにおけるＣＣＥと利用可能なシンボルのサイズに基づいてバンドルのサイズを選択することができる。プロセッサ１０２０は、システム情報又はユーザ装置１０００のための専用の構成情報から、基地局１２０によって用いられるバンドルのサイズを取得するように構成されてもよい。例えば、基地局１２０は表１における一つのバンドルのサイズを用いることができる。プロセッサ１０２０は、システムブロードキャスト（ＢＣＨ）又は物理層又は上位層におけるバンドルのサイズの指示から、基地局１２０によって用いられるバンドルのサイズを取得するように構成されてもよい。
【０１２９】
プロセッサ１０２０はさらに制御リソースセットの制御チャネルを検出するように構成されてもよい。例えば、図２に示すように、プロセッサ１０２０はシンボル２３１におけるＲＥＧ２４１とＲＥＧバンドル２４２のＰＤＣＣＨを検出するように構成されてもよい。図３に示す別の例では、プロセッサ１０２０はシンボル３３１とシンボル３３２におけるＲＥＧバンドル３４１、ＲＥＧバンドル３４２、ＲＥＧバンドル３４３、．．．．．．、ＲＧＥバンドル３４６のＰＤＣＣＨを検出するように構成されてもよい。例えば、プロセッサ１０２０は図４、図５又は図６におけるＲＥＧバンドルのＰＤＣＣＨを検出するように構成されてもよい。
【０１３０】
プロセッサ１０２０は、さらに制御リソースセットの制御チャネルを復号するように構成される。例えば、図２に示すように、プロセッサ１０２０がバンドル２４１とバンドル２４２でそのＰＤＣＣＨを検出した場合、プロセッサ１０２０はさらに検出されたＲＥＧバンドル２４１とＲＥＧバンドル２４２でＰＤＣＣＨを復号して制御構成及び関連パラメータを取得するように構成されてもよい。別の例として、プロセッサ１０２０が図３、図４、図５又は図６におけるＲＥＧバンドルでそのＰＤＣＣＨを検出するように構成される場合、プロセッサ１０２０は検出されたＲＥＧバンドルでＰＤＣＣＨを復号して制御構成及び関連パラメータを取得するように構成されてもよい。
【０１３１】
いくつかの実施例では、方法１０２０は使用されていないＲＥＧバンドでＰＤＳＣＨを受信するように構成されてもよい。例えば、図６に示すように、基地局１２０は使用されていないＲＥＧバンドルによってマッピングされたそれらの物理ＲＥＧバンドルで伝送されるＰＤＳＣＨを構成する。用いられたＲＥＧバンドルによってマッピングされたそれらの物理ＲＥＧバンドルはＰＤＣＣＨ伝送に用いられない。基地局１２０はＰＤＳＣＨ  ＲＢＧ６６１とＰＤＳＣＨ  ＲＢＧ６６２でＰＤＳＣＨを伝送するように構成されてもよい。ＰＤＳＣＨ  ＲＢＧ６６１とＰＤＳＣＨ  ＲＢＧ６６２はシンボル６３１とシンボル６３２及びＰＤＳＣＨ伝送に利用可能なより多くのシンボルを含むことができる。基地局１２０の構成に基づき、プロセッサ１０２０はＰＤＳＣＨ  ＲＢＧ６６１とＰＤＳＣＨ  ＲＢＧ６６２でそのＰＤＳＣＨを受信するように構成されてもよい。
【０１３２】
いくつかの実施例では、プロセッサ１０２０はさらに上記の方法８００に対して説明される各ステップを実行するように構成されてもよい。
【０１３３】
別の態様では、プロセッサ１０２０は制御リソースセットの構成を受信するように通信ユニット１０５０を制御するように構成されてもよい。制御リソースセットの構成は、ビーム数、制御リソースセットの開始シンボル番号、制御リソースセットのシンボルの数、制御チャネルエレメント（ＣＣＥ）のサイズ、ＣＣＥの数、リソースエレメントグループ（ＲＥＧ）バンドルのサイズ、ＲＥＧバンドルのためのシンボル数とＲＥＧ数の組み合わせ、又はそれらのいずれかの組み合わせを含む複数のパラメータを示す。プロセッサ１０２０は、さらに制御リソースセットの構成に基づき、制御領域で制御チャネルを受信するように通信ユニット１０５０を制御するように構成されてもよい。
【０１３４】
例えば、基地局１２０はＣＯＲＥＳＥＴ構成を伝送することができる。伝送されるＣＯＲＥＳＥＴ構成は、２つのビーム数、タイムスロットの２番目のシンボルに位置する開始シンボル、ＣＯＲＥＳＥＴに含まれる２つのシンボル、８つのＲＥＧを有するＣＣＥのサイズ、サーチスペースに含まれる２つのＣＣＥ、４つのＲＥＧを有するバンドルのサイズ、及び／又は２つのＰＲＢ×２つのシンボルを示す。基地局１２０は該ＣＯＲＥＳＥＴ構成に示される上記パラメータに基づいてＰＤＣＣＨを伝送することができる。プロセッサ１０２０は基地局１２０からＣＯＲＥＳＥＴ構成を受信するように構成されてもよい。プロセッサ１０２０は該ＣＯＲＥＳＥＴ構成に基づいてそのＰＤＣＣＨを受信するように通信ユニット１０５０を制御するように構成されてもよい。
【０１３５】
プロセッサ１０２０は別の制御リソースセットの別の構成を受信するように構成されてもよい。プロセッサ１０２０により制御領域で制御チャネルを受信することは、該構成、別の構成、又は該構成と別の構成の両者に基づいて制御チャネルを受信することを含む。
【０１３６】
例えば、基地局１２０は別のＣＯＲＥＳＥＴ構成を伝送することができる。伝送される別のＣＯＲＥＳＥＴ構成は、１つのビーム数、タイムスロットの１番目のシンボルに位置する開始シンボル、ＣＯＲＥＳＥＴに含まれる一つのシンボル、２つのＲＥＧを有するＣＣＥのサイズ、サーチスペースに含まれる４つのＣＣＥ、２つのＲＥＧを有するバンドルのサイズ、及び／又は２つのＰＲＢ×１つのシンボルを示す。プロセッサ１０２０は該ＣＯＲＥＳＥＴ構成、別のＣＯＲＥＳＥＴ構成、又は該ＣＯＲＥＳＥＴ構成と別のＣＯＲＥＳＥＴ構成の両者に基づいて制御チャネルを受信するように通信ユニット１０５０を制御するように構成されてもよい。
【０１３７】
本開示の別の態様は、実行される時に一つ又は複数のプロセッサに上記方法を実行させる命令を記憶する非一時的コンピュータ読み取り可能媒体に関する。コンピュータ読み取り可能媒体は、揮発性又は不揮発性、磁気、半導体、磁気テープ、光学、移動可能、移動不可能又は他のタイプのコンピュータ読み取り可能媒体、又はコンピュータ読み取り可能記憶装置を含むことができる。例えば、開示されるように、コンピュータ読み取り可能媒体はネットワーク装置９００とユーザ装置１０００が命令を記憶する記憶装置又は内部記憶モジュールに含まれてもよい。いくつかの実施例では、コンピュータ読み取り可能媒体は、命令が記憶されたディスク又はフラッシュドライブであってもよい。
【０１３８】
理解すべきものとして、本開示は以上に説明され且つ添付図面に示された正確な構造に限定されず、且つ本出願の範囲から逸脱することなく様々な修正及び変更を行うことができる。それは本出願の範囲が添付の特許請求の範囲によって限定されるべきであることを意図する。
【図１】
2020519109.tif 000004
【図２】
2020519109.tif 000005
【図３】
2020519109.tif 000006
【図４】
2020519109.tif 000007
【図５】
2020519109.tif 000008
【図６】
2020519109.tif 000009
【図７】
2020519109.tif 000010
【図８】
2020519109.tif 000011
【図９】
2020519109.tif 000012
【図１０】
2020519109.tif 000013
【国際調査報告】
2020519109.tif 000014
2020519109.tif 000015